(57)【要約】【課題】情報記録媒体に予め記録されているコンテンツ等の登録情報に関連した情報を当該情報記録媒体に記録することによって、ユーザを煩わせることなく、容易に管理する。【解決手段】記録再生装置１は、光ディスク１００の排出時に、光ディスク１００のＲＯＭ層に記録されている記録情報と、記録再生装置１に保存されている、光ディスク１００のＲＥ層に記録されている登録情報（コンテンツなど）に関する情報である関連情報（追加コンテンツなど）と、を比較するデータ比較部３０と、データ比較部３０が比較した結果に基づいて、関連情報の中から、光ディスク１００のＲＯＭ層に記録する記録用関連情報を選択するデータ選択部３１と、を備える。【選択図】図１
2011138588.tif 000002
【特許請求の範囲】
【請求項１】
情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置であって、
上記情報記録媒体の排出時に、
上記第２情報記録層に記録されている記録情報と、自装置に保存されている、上記第１情報記録層に記録されている登録情報に関する情報である記録済関連情報と、を比較する比較手段と、
上記比較手段が比較した結果に基づいて、上記記録済関連情報の中から、上記第２情報記録層に記録する記録用関連情報を選択する選択手段と、を備えることを特徴とする記録再生装置。
【請求項２】
上記選択手段が選択した記録用関連情報を、上記第２情報記録層に記録する記録制御手段を備えることを特徴とする請求項１に記載の記録再生装置。
【請求項３】
上記情報記録媒体に記録されている、当該情報記録媒体を識別するための個体識別情報が、上記記録済関連情報に含まれる個体識別情報と一致するか否かを判定する判定手段を備え、
上記比較手段は、上記判定手段により上記個体識別情報どうしが一致したと判定された場合に、上記記録情報と上記記録済関連情報とを比較することを特徴とする請求項１または２に記載の記録再生装置。
【請求項４】
上記登録情報に対して再生制御を行う再生制御手段と、
上記再生制御手段が上記登録情報を再生しているときに、上記記録済関連情報となる関連情報を外部から取得する取得手段と、
上記取得手段が取得した関連情報を上記記録済関連情報として自装置に保存する保存制御手段と、を備えることを特徴とする請求項１から３の何れか１項に記載の記録再生装置。
【請求項５】
上記第２情報記録層に、上記選択手段により選択された記録用関連情報の属性情報を示す記録管理情報を上記記録情報として記録する記録制御手段を備えることを特徴とする請求項１から４の何れか１項に記載の記録再生装置。
【請求項６】
上記第２情報記録層に記録されている記録管理情報を読み出す再生制御手段を備え、
上記比較手段は、上記再生制御手段が読み出した記録管理情報と、自装置に保存されている記録済関連情報とを比較することを特徴とする請求項１から５の何れか１項に記載の記録再生装置。
【請求項７】
上記選択手段が記録用関連情報として選択した、自装置に保存されている記録済関連情報を消去する消去手段を備えることを特徴とする請求項１から６の何れか１項に記載の記録再生装置。
【請求項８】
自装置に挿入されている情報記録媒体が、少なくとも上記第１情報記録層および上記第２情報記録層を備えているか否かを判定する媒体判定手段を備え、
上記比較手段は、上記媒体判定手段が上記情報記録媒体に上記第１情報記録層および上記第２情報記録層が備えられていると判定した場合に、上記記録情報と上記記録済関連情報とを比較することを特徴とする請求項１から７の何れか１項に記載の記録再生装置。
【請求項９】
情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置であって、
上記情報記録媒体の排出時に、
上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較手段と、
上記比較手段が比較した結果に基づいて、上記記録済関連情報の中から、上記第２情報記録層に記録しておく記録用関連情報を選択する選択手段と、を備えることを特徴とする記録再生装置。
【請求項１０】
上記選択手段が選択した記録用関連情報を用いて、上記記録管理情報を更新する更新手段を備えることを特徴とする請求項９に記載の記録再生装置。
【請求項１１】
上記登録情報に対して再生制御を行う再生制御手段と、
上記再生制御手段が再生している登録情報を停止するときに、自装置に保存されている記録済関連情報を上記第２情報記録層に記録する記録制御手段と、を備え、
上記比較手段は、上記記録制御手段が記録した記録済関連情報を、上記記録管理情報と比較することを特徴とする請求項９または１０に記載の記録再生装置。
【請求項１２】
自装置の電力供給を制御する電源制御手段と、
上記電源制御手段が供給している電力供給を停止するときに、自装置に保存されている記録済関連情報を上記第２情報記録層に記録する記録制御手段と、を備え、
上記比較手段は、上記記録制御手段が記録した記録済関連情報を、上記記録管理情報と比較することを特徴とする請求項９から１１の何れか１項に記載の記録再生装置。
【請求項１３】
上記記録済関連情報となる関連情報を外部から取得する取得手段と、
上記取得手段が取得した関連情報を上記記録済関連情報として自装置に保存する保存制御手段と、
上記取得手段による関連情報の取得が完了したときに、上記保存制御手段により自装置に保存された記録済関連情報を上記第２情報記録層に記録する記録制御手段と、を備え、
上記比較手段は、上記記録制御手段が記録した記録済関連情報を、上記記録管理情報と比較することを特徴とする請求項９から１２の何れか１項に記載の記録再生装置。
【請求項１４】
上記情報記録媒体に記録されている、当該情報記録媒体を識別するための個体識別情報が、自装置に保存されている記録済関連情報に含まれる個体識別情報と一致するか否かを判定する判定手段を備え、
上記記録制御手段は、上記判定手段により上記個体識別情報どうしが一致すると判定された場合に、上記自装置に保存されている記録済関連情報を上記第２情報記録層に記録することを特徴とする請求項１１から１３の何れか１項に記載の記録再生装置。
【請求項１５】
自装置に挿入されている情報記録媒体が、少なくとも上記第１情報記録層および上記第２情報記録層を備えているか否かを判定する媒体判定手段を備え、
上記比較手段は、上記媒体判定手段が上記情報記録媒体に上記第１情報記録層および上記第２情報記録層が備えられていると判定した場合に、上記記録済関連情報と上記記録管理情報とを比較することを特徴とする請求項９から１４の何れか１項に記載の記録再生装置。
【請求項１６】
上記記録済関連情報は、上記登録情報に関連した追加情報または補完情報であることを特徴とする請求項１から１５の何れか１項に記載の記録再生装置。
【請求項１７】
情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置の制御方法であって、
上記情報記録媒体の排出時に、
上記第２情報記録層に記録されている記録情報と、自装置に保存されている、上記第１情報記録層に記録されている登録情報に関する情報である記録済関連情報と、を比較する比較ステップと、
上記比較ステップにて比較された結果に基づいて、上記記録済関連情報の中から、上記第２情報記録層に記録する記録用関連情報を選択する選択ステップと、を含むことを特徴とする記録再生装置の制御方法。
【請求項１８】
情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置の制御方法であって、
上記情報記録媒体の排出時に、
上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較ステップと、
上記比較ステップにて比較された結果に基づいて、上記記録済関連情報の中から、上記第２情報記録層に記録しておく記録用関連情報を選択する選択ステップと、を含むことを特徴とする記録再生装置の制御方法。
【発明の詳細な説明】
【技術分野】
【０００１】
本発明は、各種情報が記録される複数の情報記録領域を有する情報記録媒体、当該情報記録媒体に情報を記録し又は当該情報記録媒体から情報を読み出すことが可能な記録再生装置に関するものである。
【背景技術】
【０００２】
従来のＢＤ(Blu-ray Disc)レコーダー、ＤＶＤ(Digital Versatile Disc)レコーダーに代表される光ディスク装置内蔵型のレコーダーや光ディスク装置内蔵型のビデオカメラといった記録再生装置は、内蔵されたハードディスク（Hard Disk Drive：ＨＤＤ）などの記憶装置に、撮像データや番組データなどを記録し、その後上記光ディスクなどの情報記録媒体に、そのデータを複写（ダビング、またはコピー）することが可能である。
【０００３】
しかし、上記従来の記録再生装置では、ユーザが例えば撮像データを光ディスクに複写する場合、撮影動作の合間を見計らって行う必要があった。また、ユーザが例えば番組データを光ディスクに複写する場合、ＨＤＤ内に記録された多くの番組データの中から必要な番組を選択するために、該番組データを表示させる画面を表示させ確認した後、複写操作を行う必要があった。このように、上記従来の記録再生装置では、ＨＤＤに保存されたデータを光ディスクに複写する場合には、ユーザに煩わしい作業を強いていた。
【０００４】
これに対し、ＨＤＤ内の撮影データまたは番組データを、ユーザに煩わしい作業を行わせずに、自動的に光ディスクに記録する技術が、例えば特許文献１に開示されている。
【０００５】
特許文献１の記録再生装置は、光ディスクの挿入時に挿入された光ディスクの種別を判別し、その判別の結果、ライトワンス型やリライタブル型の記録可能な光ディスクである場合には、内蔵されたＨＤＤに保存されている撮影データまたは番組データを、当該装置が撮影、記録、再生などの動作を行っていない時間帯に、ほぼ自動的に光ディスクにダビングを行うことができる。
【先行技術文献】
【特許文献】
【０００６】
【特許文献１】特開２００６−２９４１０５号公報（２００６年１０月２６日公開）
【発明の概要】
【発明が解決しようとする課題】
【０００７】
しかしながら、特許文献１の記録再生装置では、記録可能な媒体に保存するデータとしては、撮影データや番組データのみを想定している。記録再生装置に保存されるデータとしては、他に、ネットワークを介して取得したデータがあるが、該データに関する保存については想定されていない。
【０００８】
ネットワークから取得したデータとしては、例えば、ＢＤレコーダーやＢＤプレーヤーで採用されているＢＤ−Ｌｉｖｅ機能（ＢＤ−ＲＯＭを再生することで、ネットワークを介してＢＤ−ＲＯＭに記録された再生コンテンツ（記録データ）に関連する追加データ（関連データ）、例えば追加字幕や追加動画をダウンロードして取得する機能）等を利用して取得したものがある。なお、ＢＤ−Ｌｉｖｅ機能に関して言えば、現状、追加データを再生するためには、まずその追加データを入手するためにＢＤ−ＲＯＭを再生することが必要となっている。
【０００９】
このネットワークから取得した追加データを保存する場合、特許文献１ではその保存が以下のように行われると想定される。
【００１０】
まず、追加データを入手するために、その追加データを取得するための記録データが保存された再生専用媒体（ＢＤ−ＲＯＭ）を記録再生装置に挿入し、関連データを取得すると、記録再生装置内の、例えばＨＤＤのような記憶装置に保存する。ただし、そのままにしておけば、記録再生装置の中には再生専用媒体が挿入されているため、記録可能な媒体を挿入し直さない限り、自動で保存する上記特許文献１の記録再生装置であっても、媒体側に関連データを保存することはできない。
【００１１】
つまり、特許文献１の記録再生装置においては、取得した関連データを媒体側に保存するために、一旦再生専用媒体を取り出し、改めて記録可能な他の媒体を挿入するといった媒体を交換する必要が生じることとなる。具体的には、再生専用媒体（再生専用光ディスク）を取り出し、記録可能な媒体（記録可能な光ディスク）を記録再生装置に挿入し、自動的に関連データを記録可能な光ディスクに記録するといった手段で行われる。このように、上記関連データを取得および保存するためには、記録データを記録している再生専用光ディスクを取り出し、記録可能な光ディスクを挿入し直すという作業をユーザに追わせることになり、その分ユーザにとっては非常に手間となっていた。
【００１２】
また、上記記録再生装置においては、関連データを取得するために再生した再生専用光ディスクとは異なる他の記録可能な光ディスクに取得した関連データを保存することになるため、ユーザは、再生専用ディスクと、関連データを記録した記録可能な光ディスクの少なくとも二枚を管理しなくてはならない。このため、ディスクの管理枚数が増えるので、ディスクを管理する上で非常に手間となる。
【００１３】
さらに、関連データは、再生専用光ディスクに既に記録されている記録データを利用して使用される。このため、特許文献１のような記録再生装置においては、関連データを利用するために、一旦、関連データを保存した記録可能な光ディスクを挿入し、関連データを記録再生装置が有するＨＤＤなどの記憶装置に記録した後、関連データを利用するためのデータが保存されている再生専用媒体を挿入しなおすという作業をユーザに行わせることになり、これも非常に手間となっていた。
【００１４】
また、特許文献1の記録再生装置では、再生専用媒体とその再生専用媒体に記録されている記録データの関連データとを同じ光ディスクに記録することは想定していない。なぜなら、扱っている媒体が記録用媒体か再生専用媒体かのどちらかだけしか想定しておらず、したがって、上記のように必ず媒体を入れ替えるという作業を必要とするようになっている。
【００１５】
また、特許文献１の記録再生装置では、記録データと、当該記録データの関連データを同じ光ディスクに記録することを想定していない。このため、同じ光ディスクに両データを記録する際のユーザの手間を回避するためのデータの記録方法については、当然ながら想定されていない。
【００１６】
本発明は、上記の問題を解決するためになされたもので、その目的は、情報記録媒体に予め記録されているコンテンツ等の登録情報に関連した情報を当該情報記録媒体に記録することによって、ユーザを煩わせることなく、容易に管理することが可能な記録再生装置および記録再生装置の制御方法を提供することにある。
【課題を解決するための手段】
【００１７】
本発明に係る記録再生装置は、上記の課題を解決するために、情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置であって、上記情報記録媒体の排出時に、上記第２情報記録層に記録されている記録情報と、自装置に保存されている、上記第１情報記録層に記録されている登録情報に関する情報である記録済関連情報と、を比較する比較手段と、上記比較手段が比較した結果に基づいて、上記記録済関連情報の中から、上記第２情報記録層に記録する記録用関連情報を選択する選択手段と、を備えることを特徴としている。
【００１８】
本発明に係る記録再生装置の制御方法は、上記の課題を解決するために、情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置の制御方法であって、上記情報記録媒体の排出時に、上記第２情報記録層に記録されている記録情報と、自装置に保存されている、上記第１情報記録層に記録されている登録情報に関する情報である記録済関連情報と、を比較する比較ステップと、上記比較ステップにて比較された結果に基づいて、上記記録済関連情報の中から、上記第２情報記録層に記録する記録用関連情報を選択する選択ステップと、を含むことを特徴としている。
【００１９】
上記構成によれば、第１情報記録層および第２情報記録層とを少なくとも備えた情報記録媒体の排出時に、比較手段（比較ステップ）が、第２情報記録層に記録されている記録情報と、自装置に保存されている記録済関連情報とを比較した結果に基づいて、選択手段（選択ステップ）が、その記録済関連情報の中から、登録情報が第１情報記録層に記録されている情報記録媒体の第２情報記録層に記録するための記録用関連情報を選択する。
【００２０】
従って、記録再生装置では、上記登録情報と、当該登録情報に関連する情報（記録用関連情報）とが別々の情報記録媒体に記録される場合に従来必要であったユーザの手間（記録用関連情報の選択、情報記録媒体の差し替えなど）を解消することができ、ユーザの利便性を向上させることができる。
【００２１】
また、情報記録媒体に記録されていない記録済関連情報だけを記録用関連情報として選択することができるので、記録用関連情報を記録するときの処理時間の短縮を図ることができ、また、情報記録媒体の記録容量を有効活用することができる。
【００２２】
また、挿入されている情報記録媒体について本発明の記録再生装置での利用を終了するときに（すなわち情報記録媒体の排出時に）、当該情報記録媒体に記録するための記録用関連情報を選択する。このため、記録用関連情報を第２情報記録層に記録するために、再生動作などの記録再生装置における種々の動作の合間に何度も記録用関連情報を選択する、または、これらの動作を一旦停止させて選択するなどの処理を発生させることがない。つまり、記録再生装置の処理効率を維持した状態で、第２情報記録層に記録するための記録用関連情報を一括で選択することができる。
【００２３】
従って、本発明の記録再生装置（その制御方法）では、情報記録媒体に予め記録されている登録情報に関連した情報を当該情報記録媒体に記録することによって、ユーザを煩わせることなく、容易に管理することができるという効果を奏する。
【００２４】
なお、登録情報とは、情報記録媒体（第１情報記録層）に予め記録されている情報のことであり、例えばコンテンツやソフトウェアなどを指す。また、記録情報とは、第２情報記録層に予め記録されている、あるいは記録再生装置によって記録された情報を指す。
【００２５】
本発明に係る記録再生装置は、上記選択手段が選択した記録用関連情報を、上記第２情報記録層に記録する記録制御手段を備えることが好ましい。
【００２６】
上記構成によれば、情報記録媒体の排出時に選択された記録用関連情報を、当該記録用関連情報と関連する登録情報が記録されている情報記録媒体の第２情報記録層に記録することができる。これにより、ユーザを煩わせることなく、登録情報が記録された情報記録媒体で、当該登録情報に関連する記録用関連情報を確実に管理することができる。
【００２７】
本発明に係る記録再生装置では、上記情報記録媒体に記録されている、当該情報記録媒体を識別するための個体識別情報が、上記記録済関連情報に含まれる個体識別情報と一致するか否かを判定する判定手段を備え、上記比較手段は、上記判定手段により上記個体識別情報どうしが一致したと判定された場合に、上記記録情報と上記記録済関連情報とを比較することが好ましい。
【００２８】
上記構成によれば、比較手段は、判定手段が、情報記録媒体に記録されている個体識別情報と、自装置に保存されている記録済関連情報に含まれる個体識別情報とが一致すると判定した場合に、記録情報と記録済関連情報との比較を行う。このため、記録済関連情報を記録すべき情報記録媒体を確実に特定した上で、当該情報記録媒体に記録する記録用関連情報を選択することができる。
【００２９】
本発明に係る記録再生装置は、上記登録情報に対して再生制御を行う再生制御手段と、上記再生制御手段が上記登録情報を再生しているときに、上記記録済関連情報となる関連情報を外部から取得する取得手段と、上記取得手段が取得した関連情報を上記記録済関連情報として自装置に保存する保存制御手段と、を備えることが好ましい。
【００３０】
上記構成によれば、保存制御手段は、再生制御手段が登録情報を再生しているときに、取得手段が外部から取得した関連情報を記録済関連情報として自装置に保存する。このため、記録再生装置では、外部から取得した関連情報（記録済関連情報）の中から記録用関連情報を選択することができる。また、記録再生装置は、記録済関連情報として関連情報を外部から取得することによって、新しい記録済関連情報または更新された記録済関連情報をその内部に保存しておくことができる。
【００３１】
本発明に係る記録再生装置は、上記第２情報記録層に、上記選択手段により選択された記録用関連情報の属性情報を示す記録管理情報を上記記録情報として記録する記録制御手段を備えることが好ましい。
【００３２】
上記構成によれば、記録制御手段は、選択手段により選択された記録用関連情報の属性情報を示す記録管理情報を記録情報として記録する。このため、次にこの情報記録媒体が記録再生装置に挿入されたときに、比較手段は、情報記録媒体に記録された記録管理情報と、自装置に保存された記録済関連情報とを比較すればよい。つまり、第２情報記録層に記録されている情報（記録用関連情報）そのものを読み出して比較する必要がないので、記録管理情報を記録した後に当該比較にかかる処理時間を低減することが可能な情報記録媒体を提供することができる。
【００３３】
本発明に係る記録再生装置では、上記第２情報記録層に記録されている記録管理情報を読み出す再生制御手段を備え、上記比較手段は、上記再生制御手段が読み出した記録管理情報と、自装置に保存されている記録済関連情報とを比較することが好ましい。
【００３４】
上記構成によれば、比較手段は、再生制御手段によって読み出された第２情報記録層に記録されている記録管理情報を用いて、自装置に保存されている記録済関連情報との比較を行うことができる。このため、第２情報記録層に記録されている情報（記録用関連情報）そのものを読み出して比較する必要がないので、当該比較にかかる処理時間を低減することができ、処理の迅速化を図ることができる。
【００３５】
本発明に係る記録再生装置は、上記選択手段が記録用関連情報として選択した、自装置に保存されている記録済関連情報を消去する消去手段を備えることが好ましい。
【００３６】
上記構成によれば、消去手段が、選択手段が記録用関連情報として選択した記録済関連情報を消去するので、情報記録媒体の排出後に自装置にて記録用関連情報が利用されるといった状況を回避することができる。つまり、記録用関連情報を情報記録媒体だけで管理することができるので、セキュリティーの向上を図ることができる。
【００３７】
本発明に係る記録再生装置は、自装置に挿入されている情報記録媒体が、少なくとも上記第１情報記録層および上記第２情報記録層を備えているか否かを判定する媒体判定手段を備え、上記比較手段は、上記媒体判定手段が上記情報記録媒体に上記第１情報記録層および上記第２情報記録層が備えられていると判定した場合に、上記記録情報と上記記録済関連情報とを比較することが好ましい。
【００３８】
上記構成によれば、媒体判定手段が自装置に挿入された情報記録媒体が少なくとも上記の２層を備えると判定した場合に、比較手段が上述の比較処理を行う。このため、情報記録媒体に登録情報が記録されていても、当該情報記録媒体に、当該登録情報に関連する記録用関連情報を記録可能な領域が無い場合には、上記比較処理を行う必要がない。つまり、上記記録用関連情報を記録不可能な情報記録媒体については、比較手段や選択手段などの処理を行わせる必要がないので、無駄な処理を行うことを未然に防ぐことができる。
【００３９】
また、本発明に係る記録再生装置は、上記の課題を解決するために、情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置であって、上記情報記録媒体の排出時に、上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較手段と、上記比較手段が比較した結果に基づいて、上記記録済関連情報の中から、上記第２情報記録層に記録しておく記録用関連情報を選択する選択手段と、を備えることを特徴としている。
【００４０】
本発明に係る記録再生装置の制御方法は、上記の課題を解決するために、情報を読み出すことのみ可能な第１情報記録層と、情報を追記録すること又は情報を書き換えることが可能な第２情報記録層と、を少なくとも備えた情報記録媒体に対して、情報の記録または再生を行う記録再生装置の制御方法であって、上記情報記録媒体の排出時に、上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較ステップと、上記比較ステップにて比較された結果に基づいて、上記記録済関連情報の中から、上記第２情報記録層に記録しておく記録用関連情報を選択する選択ステップと、を含むことを特徴としている。
【００４１】
上記構成によれば、情報記録媒体の排出時に、比較手段（比較ステップ）が、登録情報に関する情報として第２情報記録層に記録されている記録済関連情報と、情報記録媒体の挿入時に第２情報記録層に記録されていた記録済関連情報の属性情報を示す記録管理情報とを比較した結果に基づいて、選択手段（選択ステップ）が、その記録済関連情報の中から、登録情報が記録されている情報記録媒体の第２情報記録層にそのまま記録しておく記録用関連情報を選択する。
【００４２】
従って、記録再生装置では、上記登録情報と、当該登録情報に関連する情報（記録用関連情報）とが別々の情報記録媒体に記録される場合に従来必要であったユーザの手間（情報記録媒体の差し替えなど）を解消することができ、ユーザの利便性を向上させることができる。
【００４３】
また、情報記録媒体の挿入時に記録されていない記録済関連情報だけを、記録しておく記録用関連情報として選択することができるので、情報記録媒体の記録容量を有効活用することができる。
【００４４】
また、挿入されている情報記録媒体について本発明の記録再生装置での利用を終了するときに（すなわち情報記録媒体の排出時に）、当該情報記録媒体にそのまま記録しておく記録用関連情報を選択する。このため、第２情報記録層に記録しておく記録用関連情報を選択する場合に、再生動作などの記録再生装置における種々の動作の合間に何度も記録用関連情報を選択する、または、これらの動作を一旦停止させて選択するなどの処理を発生させることがない。つまり、記録再生装置の処理効率を維持した状態で、第２情報記録層に記録しておく記録用関連情報を一括で選択することができる。
【００４５】
従って、本発明の記録再生装置（その制御方法）では、情報記録媒体に予め記録されている登録情報に関連した情報を当該情報記録媒体に記録することによって、ユーザを煩わせることなく、容易に管理するという効果を奏する。
【００４６】
本発明に係る記録再生装置は、上記選択手段が選択した記録用関連情報を用いて、上記記録管理情報を更新する更新手段を備えることが好ましい。
【００４７】
上記構成によれば、更新手段が、記録用関連情報を用いて記録管理情報を更新するので、記録再生装置は、情報記録媒体が挿入されるたびに、新しい記録管理情報を用いて比較手段および選択手段による処理を行うことができる。
【００４８】
本発明に係る記録再生装置は、上記登録情報に対して再生制御を行う再生制御手段と、上記再生制御手段が再生している登録情報を停止するときに、自装置に保存されている記録済関連情報を上記第２情報記録層に記録する記録制御手段と、を備え、上記比較手段は、上記記録制御手段が記録した記録済関連情報を、上記記録管理情報と比較することが好ましい。
【００４９】
上記構成によれば、記録制御手段は、再生制御手段が登録情報を再生しているときに、自装置に保存されている記録済関連情報を、当該記録済関連情報と関連のある登録情報が記録されている情報記録媒体の第２情報記録層に記録する。比較手段は、このとき第２情報記録層に記録された記録済関連情報と、当該第２情報記録層に記録されている記録管理情報とを比較する。
【００５０】
これにより、記録再生装置は、第２情報記録層に記録しておくべきであると判断される記録用関連情報の候補を、少なくとも情報記録媒体の排出前に当該第２情報記録層に記録しておくことができる。
【００５１】
本発明に係る記録再生装置は、自装置の電力供給を制御する電源制御手段と、上記電源制御手段が供給している電力供給を停止するときに、自装置に保存されている記録済関連情報を上記第２情報記録層に記録する記録制御手段と、を備え、上記比較手段は、上記記録制御手段が記録した記録済関連情報を、上記記録管理情報と比較することが好ましい。
【００５２】
上記構成によれば、記録制御手段は、電源制御手段が自装置への電力供給を中止するときに、自装置に保存されている記録済関連情報を、当該記録済関連情報と関連のある登録情報が記録されている情報記録媒体の第２情報記録層に記録する。比較手段は、このとき第２情報記録層に記録された記録済関連情報と、当該第２情報記録層に記録されている記録管理情報とを比較する。
【００５３】
これにより、記録再生装置は、第２情報記録層に記録しておくべきであると判断される記録用関連情報の候補を、少なくとも情報記録媒体の排出前に当該第２情報記録層に記録しておくことができる。
【００５４】
本発明に係る記録再生装置は、上記記録済関連情報となる関連情報を外部から取得する取得手段と、上記取得手段が取得した関連情報を上記記録済関連情報として自装置に保存する保存制御手段と、上記取得手段による関連情報の取得が完了したときに、上記保存制御手段により自装置に保存された記録済関連情報を上記第２情報記録層に記録する記録制御手段と、を備え、上記比較手段は、上記記録制御手段が記録した記録済関連情報を、上記記録管理情報と比較する。
【００５５】
上記構成によれば、保存制御手段は、取得手段が外部から取得した関連情報を記録済関連情報として自装置に保存する。この取得手段による外部からの関連情報の取得が完了したときに、保存制御手段により自装置に保存された記録済関連情報を、当該記録済関連情報と関連のある登録情報が記録されている情報記録媒体の第２情報記録層に記録する。比較手段は、このとき第２情報記録層に記録された記録済関連情報と、当該第２情報記録層に記録されている記録管理情報とを比較する。
【００５６】
これにより、記録再生装置は、第２情報記録層に記録しておくべきであると判断される記録用関連情報の候補を、少なくとも情報記録媒体の排出前に当該第２情報記録層に記録しておくことができる。
【００５７】
本発明に係る記録再生装置は、上記情報記録媒体に記録されている、当該情報記録媒体を識別するための個体識別情報が、自装置に保存されている記録済関連情報に含まれる個体識別情報と一致するか否かを判定する判定手段を備え、上記記録制御手段は、上記判定手段により上記個体識別情報どうしが一致すると判定された場合に、上記自装置に保存されている記録済関連情報を上記第２情報記録層に記録することが好ましい。
【００５８】
上記構成によれば、記録制御手段は、判定手段が、情報記録媒体に記録されている個体識別情報と、自装置に保存されている記録済関連情報に含まれる個体識別情報と一致すると判定した場合に、この自装置に保存されている記録済関連情報を第２情報記録層に記録する。このため、記録済関連情報を記録する情報記録媒体を確実に特定した上で、当該記録済関連情報の中から、当該情報記録媒体に記録しておく記録用関連情報を選択することができる。
【００５９】
本発明に係る記録再生装置は、自装置に挿入されている情報記録媒体が、少なくとも上記第１情報記録層および上記第２情報記録層を備えているか否かを判定する媒体判定手段を備え、上記比較手段は、上記媒体判定手段が上記情報記録媒体に上記第１情報記録層および上記第２情報記録層が備えられていると判定した場合に、上記記録済関連情報と上記記録管理情報とを比較することが好ましい。
【００６０】
上記構成によれば、媒体判定手段が自装置に挿入された情報記録媒体が少なくとも上記の２層を備えると判定した場合に、比較手段が上述の比較処理を行う。このため、情報記録媒体に登録情報が記録されていても、当該情報記録媒体に、当該登録情報に関連する記録済関連情報を記録可能な領域が無い場合には、上記比較処理を行う必要がない。つまり、上記記録済関連情報を記録不可能な情報記録媒体については、比較手段や選択手段などの処理を行わせる必要がないので、無駄な処理を行うことを未然に防ぐことができる。
【００６１】
本発明に係る記録再生装置では、上記記録済関連情報は、上記登録情報に関連した追加情報または補完情報であることが好ましい。
【００６２】
上記構成によれば、登録情報に関連した追加情報または補完情報を、当該登録情報が記録されている情報記録媒体に確実に記録する（記録しておく）ことができる。
【発明の効果】
【００６３】
本発明に係る記録再生装置は、以上のように、上記情報記録媒体の排出時に、上記第２情報記録層に記録されている記録情報と、自装置に保存されている、上記第１情報記録層に記録されている登録情報に関する情報である記録済関連情報と、を比較する比較手段と、上記比較手段が比較した結果に基づいて、上記記録済関連情報の中から、上記第２情報記録層に記録する記録用関連情報を選択する選択手段と、を備える構成である。
【００６４】
本発明に係る記録再生装置の制御方法は、以上のように、上記情報記録媒体の排出時に、上記第２情報記録層に記録されている記録情報と、自装置に保存されている、上記第１情報記録層に記録されている登録情報に関する情報である記録済関連情報と、を比較する比較ステップと、上記比較ステップにて比較された結果に基づいて、上記記録済関連情報の中から、上記第２情報記録層に記録する記録用関連情報を選択する選択ステップと、を含む方法である。
【００６５】
また、本発明に係る記録再生装置は、以上のように、上記情報記録媒体の排出時に、上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較手段と、上記比較手段が比較した結果に基づいて、上記記録済関連情報の中から、上記第１情報記録層に記録しておく記録用関連情報を選択する選択手段と、を備える構成である。
【００６６】
本発明に係る記録再生装置の制御方法は、以上のように、上記情報記録媒体の排出時に、上記第１情報記録層に記録されている登録情報に関する情報として上記第２情報記録層に記録されている記録済関連情報と、上記情報記録媒体の挿入時に上記第２情報記録層に記録されていた記録済関連情報の属性情報を示す記録管理情報と、を比較する比較ステップと、上記比較ステップにて比較された結果に基づいて、上記記録済関連情報の中から、上記第２情報記録層に記録しておく記録用関連情報を選択する選択ステップと、を含む方法である。
【００６７】
それゆえ、本発明の記録再生装置（その制御方法）では、情報記録媒体に予め記録されている登録情報に関連した情報を当該情報記録媒体に記録することによって、ユーザを煩わせることなく、容易に管理することができるという効果を奏する。
【図面の簡単な説明】
【００６８】
【図１】本発明の一実施形態に係る記録再生システムにおける記録再生装置の概略構成の一例を示すブロック図である。
【図２】本発明の一実施形態または別の実施形態に係る記録再生システムの概略構成を示すブロック図である。
【図３】本発明の一実施形態に係る記録再生装置に挿入される光ディスクの概略構成の一例を示す図であり、（ａ）は、再生光入射側から見たときの光ディスクを示す図であり、（ｂ）は、光ディスクの各記録層の構成例を示す図であり、（ｃ）は、光ディスクに記録される情報の一例を示す図である。
【図４】本発明の一実施形態に係る記録再生装置で用いられるファイル管理情報の一例を示すものであり、（ａ）は、光ディスクにて管理されるファイル管理情報の属性情報を示す図であり、（ｂ）は、単一ファイルに付属する属性情報の一例を示す図であり、（ｃ）は、同属性情報の他の例を示す図であり、（ｄ）は、同属性情報の他の例を示す図である。
【図５】本発明の一実施形態に係る記録再生装置における処理の流れを示すフローチャートである。
【図６】本発明の別の実施形態に係る記録再生システムにおける記録再生装置の概略構成の一例を示すブロック図である。
【図７】本発明の別の実施形態に係る記録再生装置における登録情報の再生停止時の処理の流れの一例を示すフローチャートである。
【図８】本発明の別の実施形態に係る記録再生装置の電源オフ時における処理の流れの一例を示すフローチャートである。
【図９】本発明の別の実施形態に係る記録再生装置での関連情報のダウンロード完了時における処理の流れの一例を示すフローチャートである。
【図１０】本発明の別の実施形態に係る記録再生装置での光ディスクの排出動作時における処理における処理の流れの一例を示すフローチャートである。
【発明を実施するための形態】
【００６９】
〔実施の形態１〕
本発明の実施の一形態について図１〜図５に基づいて説明すれば、以下のとおりである。
【００７０】
〔記録再生システム１０の概要〕
まず、本実施の形態に係る記録再生システム１０について、図２を用いて説明する。図２は、本実施の形態に係る記録再生システム１０の概略構成を示すブロック図である。図示のように、記録再生システム１０は、記録再生装置１、通信装置２、操作装置３および表示装置４を含み、記録再生装置１と、通信装置２、操作装置３および表示装置４とが有線、無線、赤外線などを用いてデータ通信を行うことが可能となっている。すなわち、本実施の形態では、記録再生装置１が通信装置２および操作装置３に対する制御を行うものとする。なお、記録再生装置１が通信装置２および操作装置３の機能を備える構成であってもよい。記録再生装置１については後述する。
【００７１】
通信装置２は、記録再生装置１で再生制御可能な、後述の光ディスク１００（情報記録媒体）に予め記録されているコンテンツまたはソフトウェアなどの登録情報に関する関連情報を格納するコンテンツサーバ（不図示）などと、ネットワーク（例えばインターネット）を介してデータ通信を行うことが可能な装置である。また、通信装置２は、例えば記録再生装置１の通信制御部２４に制御されることにより、通信装置２が上記コンテンツサーバから取得した関連情報を、記録再生装置１に送信する。
【００７２】
なお、関連情報とは、光ディスク１００（情報記録媒体）に予め記録されている登録情報に関する情報であって、当該登録情報と関連付けられた情報、または、当該登録情報とともに利用される情報を指す。関連情報としては、登録情報を更新するための更新情報や、登録情報に関連した字幕などの文字情報などの追加コンテンツ（追加情報）、新作映画の予告編などの広告映像、などが挙げられる。その他、関連情報としては、光ディスク１００に予め記録されている登録情報が不完全な状態である場合には、それを補完するための情報である補完情報も挙げられる。実施の形態１において、記憶部１５に保存されている関連情報を「記録済関連情報」と称する場合がある。
【００７３】
操作装置３は、ユーザが表示装置４に表示される画像を見ながら入力を行うためのものであり、例えば「ＥＮＴＥＲ」キーや矢印キーなどの各種キーを備えたリモコン、マウス、タッチパッド、マイク（音声入力装置）などが挙げられる。
【００７４】
表示装置４は、例えば記録再生装置１の表示制御部２６に制御されることにより、光ディスク１００から読み出された登録情報（例えばコンテンツ）、ネットワークから取得した関連情報（例えば字幕）、ユーザの入力を受け付け可能な画像など、記録再生装置１の制御に必要な情報を表示するものである。表示装置４は、例えば液晶パネルにより構成されているが、これに限らず、有機ＥＬ（Electro Luminescence）パネルなどが用いられていてもよい。なお、記録再生システム１０は、ユーザに対して情報を提供する装置として、表示装置４の他に、例えばスピーカーなどの音声出力装置を備えていてもよい。
【００７５】
また、本実施の形態では、記録再生装置１には、ＤＶＤやＢＤなどの光情報記録媒体を挿入することができ、特に光ディスク１００が挿入される場合について説明する。なお、光ディスク１００については後述する。
【００７６】
〔記録再生装置１の構成〕
次に、図１を用いて、本実施の形態に係る記録再生システム１０における記録再生装置１の概略構成の一例について説明する。図１は、本実施の形態に係る記録再生システム１０における記録再生装置１の概略構成の一例を示すブロック図である。
【００７７】
記録再生装置１は、上記の光情報記録媒体や本実施の形態に係る光ディスク１００に対して情報の記録制御または再生制御を行うものであり、媒体装填確認部１１、媒体制御回路群１２、挿入部制御回路群１３、制御部１４および記憶部１５を備えている。
【００７８】
媒体装填確認部１１は、光ディスク１００などの情報記録媒体の装填を検出するためのものであり、例えば各種センサで実現されるが、情報記録媒体の装填を検出できるものであれば、どのような検出装置を用いてもよい。また、媒体装填確認部１１は、検出した結果を検出信号として制御部１４へ出力するようになっている。
【００７９】
媒体制御回路群１２は、制御部１４の制御により、情報記録媒体への情報の記録または再生を行うものである。例えば情報記録媒体に記録する情報としては、通信装置２を介してコンテンツサーバ（不図示）から取得した関連情報などが挙げられ、読み出して再生する情報としては登録情報が挙げられる。
【００８０】
挿入部制御回路群１３は、制御部１４の挿入制御部２３の制御により、情報記録媒体が挿入される挿入部（例えばスロット）（不図示）の制御を行うものである。挿入部制御回路群１３が挿入部を制御することにより、例えば光ディスク１００が挿入部から排出される。
【００８１】
制御部１４は、主として、再生制御部２１（再生制御手段）、記録制御部２２（記録制御手段）、挿入制御部２３、通信制御部２４（取得手段）、操作取得部２５（取得手段）、表示制御部２６、媒体種確認部２７（媒体判定手段）、一致データ確認部２８（判定手段）、一致データ抽出部２９、データ比較部３０（比較手段）、データ選択部３１（選択手段）、容量確認部３２およびデータ管理部３３（保存制御手段、消去手段）を備え、例えば制御プログラムを実行することにより、記録再生装置１を構成する部材を制御するものである。制御部１４は、記録再生装置１に備えられた記憶部１５に格納されているプログラムを、例えばＲＡＭ（Random Access Memory）等で構成される一次記憶部（不図示）に必要に応じて読み出して実行することにより各種処理を行う。ここで、制御部１４の要部構成について説明する。
【００８２】
再生制御部２１は、光ディスク１００などの光情報記録媒体に対する情報の再生制御を行うものである。特に、再生制御部２１は、光ディスク１００のＲＯＭ層に記録されているコンテンツやソフトウェアなどの登録情報に対する再生制御を行うものである。この他、光ディスク１００のＲＥ層に記録されている、上記登録情報に関する関連情報や、当該関連情報の属性情報を示すファイル管理情報（記録管理情報）などの記録情報に対する再生制御を行うものである。
【００８３】
すなわち、記録情報とは、ＲＥ層に予め記録されている、あるいは記録再生装置１によってＲＥ層に記録された情報を指すものであり、例えば挿入前からＲＥ層に記録されている、あるいは挿入後にＲＥ層に記録された関連情報や、当該関連情報のファイル管理情報のことである。
【００８４】
記録制御部２２は、光ディスク１００などの光情報記録媒体に対する情報の記録制御を行うものである。記録制御部２２は、例えばデータ選択部３１が選択した記録用関連情報（後述）を光ディスク１００のＲＥ層に記録するものである。この他、光ディスク１００のＲＥ層に、当該ＲＥ層に記録されている関連情報のファイル管理情報を記録情報として記録するものである。
【００８５】
挿入制御部２３は、挿入部制御回路群１３を制御することにより、挿入部（不図示）に挿入されている光ディスク１００の排出制御を行うものである。
【００８６】
通信制御部２４は、通信装置２とのデータ通信制御を行うものであり、通信装置２によりネットワークを介して取得された関連情報を取得するものである。また、通信制御部２４は、再生制御部２１が登録情報を再生しているときに、関連情報を外部から取得するものである。
【００８７】
操作取得部２５は、ユーザの入力として例えば光ディスク１００の排出指示などを、操作装置３を介して取得するものである。また、操作取得部２５は、ユーザの入力として、光ディスク１００に記録されている登録情報に関する関連情報を取得するものである。換言すれば、操作取得部２５は、再生制御部２１が登録情報を再生しているときに、外部から関連情報を取得するものである。
【００８８】
そして、登録情報の再生中には、ユーザの指示を受けて、通信制御部２４が、通信装置２によりネットワークを介して例えばコンテンツサーバから当該登録情報に関する関連情報を取得したり、操作取得部２５が、ユーザが操作装置３を介して入力した当該登録情報に関する情報（関連情報）などを取得したりする。つまり、通信制御部２４または操作取得部２５は、登録情報の再生中に、当該登録情報の関連情報を外部から取得している。これらの関連情報は、データ管理部３３に送信される。
【００８９】
表示制御部２６は、登録情報や関連情報、ユーザへの問合せ画像などの表示装置４に対する表示制御を行うものである。これにより、表示装置４には、これらの登録情報や関連情報、問合せ画像などが表示される。
【００９０】
媒体種確認部２７は、記録再生装置１に挿入されているディスクの種類が光ディスク１００であるかを確認するものである。換言すれば、媒体種確認部２７は、記録再生装置１に挿入されているディスク（情報記録媒体）が、少なくともＲＯＭ層およびＲＥ層を備えているか否かを判定するものである。
【００９１】
一致データ確認部２８は、光ディスク１００のＲＥ層（管理領域１０１（後述））から読み出されたディスク識別情報（後述）に含まれる個体番号（個体識別情報）と、記憶部１５に記録されているデータ（関連情報など）に付与されている識別番号（個体識別情報）とが一致するか否かを確認し、記憶部１５内に、個体番号と一致する識別番号を有するデータ（一致データ）が存在するかを確認するものである。換言すれば、一致データ確認部２８は、光ディスク１００に記録されている、当該光ディスク１００を識別するための個体番号が、記憶部１５に記録されている関連情報に含まれる識別番号と一致するか否かを判定するものである。
【００９２】
一致データ抽出部２９は、記憶部１５から上記一致データを抽出するものである。
【００９３】
データ比較部３０は、光ディスク１００の排出時に、ＲＥ層に記録されている記録情報と、記録再生装置１に保存されている、ＲＯＭ層に記録されている登録情報に関する情報である関連情報と、を比較するものである。
【００９４】
具体的には、データ比較部３０は、光ディスク１００に記録されているファイル管理情報の有無を確認し、ファイル管理情報がある場合には、このファイル管理情報と、記憶部１５に記録されている一致データの属性情報とを比較する。この場合、データ比較部３０は、再生制御部２１が読み出したファイル管理情報と、記録再生装置１に保存されている関連情報とを比較するものである。
【００９５】
比較した結果、ファイル管理情報に含まれる属性情報と異なる属性情報を有する一致データがあった場合には、光ディスク１００のＲＥ層には記録されていない一致データが記憶部１５内に存在する（「追加データ有り」）と判断し、異なる属性情報を有する一致データがなかった場合には、記憶部１５内の全一致データがＲＥ層のユーザデータ領域１０３に既に記録されている（「追加データ無し」）と判断する。
【００９６】
一方、光ディスク１００にファイル管理情報がない場合には、一致データ抽出部２９が抽出したデータ（一致データ）が、光ディスク１００のＲＥ層に、当該光ディスク１００が有する登録情報に関する関連情報として初めて記録されるデータ（新規データ）であると判断する。
【００９７】
なお、上記追加データあるいは新規データの有無の判断は、ファイル管理情報ではなく、光ディスク１００に記録されている関連情報そのものを用いて行ってもよい。
【００９８】
また、データ比較部３０は、媒体種確認部２７により光ディスク１００にＲＯＭ層およびＲＥ層が備えられていると判定された場合に、また、一致データ確認部２８により個体番号と識別番号とが一致した（個体識別情報どうしが一致した）と判定された場合に、光ディスク１００のＲＥ層に記録されている記録情報と、記憶部１５に保存されている関連情報とを比較するものである。
【００９９】
データ選択部３１は、データ比較部３０により、記憶部１５に上記追加データまたは新規データが存在することが確認された場合に、これらのデータを光ディスク１００のＲＥ層に記録するための記録用関連情報として選択するものである。換言すれば、データ選択部３１は、データ比較部３０が比較した結果に基づいて、記憶部１５に保存されている関連情報（記録済関連情報）の中から、ＲＥ層に記録する記録用関連情報を選択するものである。
【０１００】
つまり、データ比較部３０は、光ディスク１００内の関連情報と、記憶部１５内の関連情報との差分をとり、データ選択部３１は、その差分となる関連情報のみを、光ディスク１００のＲＥ層に記録するための記録用関連情報として選択している。
【０１０１】
容量確認部３２は、光ディスク１００に記録用関連情報を記録可能であるかを確認するために、光ディスク１００のＲＥ層の空き容量を確認する。
【０１０２】
データ管理部３３は、データ選択部３１が選択した記録用関連情報の、光ディスク１００のＲＥ層における記録位置（アドレス情報）を決定し、その記録位置を記録用関連情報の属性情報に追加するものである。これにより、記録制御部２２は、光ディスク１００のＲＥ層の所定の位置に記録用関連情報を記録することができる。
【０１０３】
また、データ管理部３３は、データ選択部３１が選択した記録用関連情報の属性情報を用いて、ファイル管理情報を作成または更新するものである。記録制御部２２は、このファイル管理情報を光ディスク１００のＲＥ層に記録する。
【０１０４】
また、データ管理部３３は、上記記録用関連情報およびファイル管理情報が光ディスク１００に記録された後で、かつ、光ディスク１００の排出前に、記録制御部２２を介して、光ディスク１００に記録された追加データまたは新規データを記憶部１５から消去する。換言すれば、データ管理部３３は、データ選択部３１が記録用関連情報として選択した、記録再生装置１に保存されている関連情報を消去するものである。
【０１０５】
また、データ管理部３３は、登録情報の再生中に関連情報を外部から取得すると、関連情報の属性情報に、挿入されている光ディスク１００の個体番号を識別番号として付与し、識別番号が付与された関連情報を記憶部１５に保存するものである。なお、記憶部１５に保存される関連情報は、通信制御部２４がダウンロードなどでネットワークから取得するデータ（関連情報など）やユーザにより入力されるデータに限らず、記録再生装置１が備える内部アプリケーションによって生成されるデータであってもよい。
【０１０６】
記憶部１５は、制御部１４が実行する（１）各部の制御プログラム、（２）ＯＳプログラム、（３）アプリケーションプログラム、および、（４）これらプログラムを実行するときに読み出す各種データを記録するものである。記憶部１５は、例えばＨＤＤ、半導体メモリ等の記憶装置によって構成されるものであり、必要に応じてＲＯＭ（Read Only Memory）フラッシュメモリなどの不揮発性の記憶装置によって構成される。なお、上述した一次記憶部は、ＲＡＭなどの揮発性の記憶装置によって構成されているが、本実施の形態では、記憶部１５が一次記憶部（バッファ）の機能も備えているものとして説明する場合もある。記憶部１５は、例えばコンテンツサーバから取得した関連情報を格納する。
【０１０７】
なお、記憶部１５は、記録再生装置１が備えるものとして説明するが、これに限らず、外付けのＨＤＤなど、記録再生装置１とは異なる外部装置によって実現されていてもよい。
【０１０８】
〔光ディスク１００の構成〕
次に、図３を用いて、本実施の形態に係る光ディスク１００の概略構成の一例について説明する。図３は、本実施の形態に係る光ディスク１００の概略構成の一例を示す図であり、図３（ａ）は、再生光入射側から見たときの光ディスク１００を示す図であり、図３（ｂ）は、光ディスク１００の各記録層の構成例を示す図である。また、図３（ｃ）は、光ディスク１００に記録される情報の一例を示す図である。
【０１０９】
まず、図３（ａ）に示すように、光ディスク１００は、その内周側に、管理領域１０１およびリードイン領域１０２を備えている。
【０１１０】
管理領域１０１は、光ディスク１００の最内周で、かつ、再生光入射側から最も遠い記録層（ＲＥ層）に設けられた領域であり、トラッキング制御が不要な領域またはフォーカス制御のみでアクセス可能なバーコード状の記録領域であり、例えばＢＣＡ（Burst Cutting Area）である。例えば記録再生装置１は、光ディスク１００が挿入されると、まず管理領域１０１の情報を読み取りにいくように設計されている。また、管理領域１０１は、製造時にのみ情報の書き込みを行うことが可能な領域（すなわち書き換え不可能な領域）である。
【０１１１】
管理領域１０１には、主として、光ディスク１００の構造を示すディスク識別情報が記録される。ディスク識別情報の具体例としては、光ディスク１００の記録層のタイプ（再生専用型、追記型、書き換え型）、光ディスク１００のサイズ、光ディスク１００のバージョン（速度等に関連）、サーボの極性、記録マークの極性および光ディスク１００固有の番号（個体番号）などが挙げられるが、管理領域１０１における各ディスク識別情報の記録順序（又は配置方法）は、任意であってよい。なお、これらの記録順序は、通常規格などによって決められている。
【０１１２】
リードイン領域１０２は、光ディスク１００において管理領域１０１の外周側に、記録層ごとに設けられた領域であり、記録再生装置１が各層に対する処理を行う際に、記録再生装置１による制御により最初に再生光が照射される（最初に情報が読み出される）記録領域である。また、リードイン領域１０２には、製造時にのみ情報の書き込みを行うことが可能な領域（すなわち書き換え不可能な領域）と、記録再生装置１に挿入された後に情報の書き換えを行うことが可能な領域とが設けられている。リードイン領域１０２には、例えば光ディスク１００への記録・再生の標準条件、各層に対する記録再生装置１のアクセスの許可不許可（アクセス制限）を示す情報、製造時の欠陥および使用中にできた欠陥の位置を示す情報などが記録されている。なお、この欠陥の位置を示す情報は、リードイン領域１０２およびリードアウト領域１０４内の欠陥管理領域に記録される。
【０１１３】
次に、図３（ｂ）は、再生光入射側から最も遠い記録層から記録層Ｌ０、Ｌ１、・・・と称する場合、記録層Ｌ０が、情報を記録することが可能な記録可能領域であるＲＥ層（書き換え可能な記録層）、記録層Ｌ１が、情報を読み出すことが可能な再生専用領域であるＲＯＭ層（再生専用の記録層）である場合の光ディスク１００の構成を示している。なお、ＲＥ層は、追記録可能な記録層をＲ（Recordable）層であってもよい。また、図３（ｂ）では、記録層Ｌ０およびＬ１だけを図示しているが、再生光入射側にさらに記録層を設けた構成であってもよい。換言すれば、光ディスク１００は、情報を読み出すことのみ可能なＲＯＭ層（第１情報記録層）と、情報を追記録可能な又は情報を書き換えることが可能なＲ層またはＲＥ層（第２情報記録層）と、を少なくとも備えたものである。
【０１１４】
図示のように、記録層Ｌ０（ＲＥ層）および記録層Ｌ１（ＲＯＭ層）には、リードイン領域１０２、ユーザデータ領域１０３およびリードアウト領域１０４が設けられている。また、ＲＥ層には、さらに管理領域１０１が設けられている。なお、管理領域１０１については上述したので、ここではその説明を省略する。
【０１１５】
ＲＥ層のリードイン領域１０２には、例えば、当該ＲＥ層のユーザデータ領域１０３に記録されている関連情報（ファイル）の属性情報を示すファイル管理情報が記録される。属性情報（ファイル属性情報）とは、ファイルの名前やサイズ、作成日時、更新日時などファイルに付記された情報のことである。なお、以下では、関連情報などのファイルを、単にデータと称する場合もある。なお、上記ファイル管理情報の記録される領域についてはこれに限るものではなく、後述するようにＲＥ層のユーザデータ領域１０３にあってもよい。
【０１１６】
ＲＯＭ層のユーザデータ領域１０３には、製造段階で記録される登録情報として記録されている。一方、ＲＥ層のユーザデータ領域１０３には、例えば記録再生装置１によってコンテンツサーバから取得し記録された関連情報が記録される。換言すれば、ＲＥ層のユーザデータ領域１０３には、記録再生装置１の記憶部１５に保存されている、ＲＯＭ層に記録されている登録情報に関する情報である記録済関連情報の中から選択された記録用関連情報が記録される。
【０１１７】
リードアウト領域１０４は、通常、光ディスク１００の各層の最外周側に設けられており、前述した欠陥の位置を示す情報などが記録されている。
【０１１８】
なお、本実施の形態では、光ディスク１００がＲＥ層（Ｒ層）およびＲＯＭ層からなる２層ＢＤである場合について説明するが、これに限らず、少なくともＲＥ層（Ｒ層）およびＲＯＭ層を少なくとも１層ずつ含む多層媒体であってもよい。換言すれば、光ディスク１００は、ＲＯＭ層、ＲＥ層及びＲ層といった記録特性の異なる情報記録層が多層化されたいわゆるハイブリッドディスクである。
【０１１９】
次に、図４に基づき、ファイル管理情報の詳細について説明する。図４は、ファイル管理情報の一例を示すものであり、図４（ａ）は、光ディスク１００にて管理されるファイル管理情報の属性情報を示す図であり、図４（ｂ）は、単一ファイルに付属する属性情報の一例を示す図であり、図４（ｃ）は、同属性情報の他の例を示す図であり、図４（ｄ）は、同属性情報の他の例を示す図である。
【０１２０】
図４（ａ）に示すように、ファイル管理情報には、記号ＦＩＬＥ＿ＮＡＭＥ、ＦＩＬＥ＿ＡＤＲ、ＦＩＬＥ＿ＴＹＰＥ、ＦＩＬＥ＿ＳＩＺＥ及びＦＩＬＥ＿ＵＰＤなどで表される各種属性情報が含まれている。
【０１２１】
ＦＩＬＥ＿ＮＡＭＥは、ファイル名であり、例えば「コンテンツＡ用更新情報」などが例示できる。
【０１２２】
ＦＩＬＥ＿ＡＤＲは、ファイルの物理的アドレス情報であり、例えば「ＸＸ１・・・」のような、例えば記録再生装置１により付与されたＲＥ層のユーザデータ領域１０３における番地を示すものである。
【０１２３】
ＦＩＬＥ＿ＴＹＰＥは、ファイルの種類を示す情報であり、例えば「コンテンツ」や「ｍｐｅｇ」、「テキスト」などが例示できる。
【０１２４】
ＦＩＬＥ＿ＳＩＺＥは、ファイルの大きさを示す情報であり、例えば「ＹＹ１Ｙ（メガバイト）」などが例示できる。
【０１２５】
ＦＩＬＥ＿ＵＰＤは、ファイルの作成日時又は更新日時（日付）を示す情報であり、例えば、「２００９／１２／１１  １８：００」などが例示できる。
【０１２６】
このようなファイル属性情報によれば、例えば、ＦＩＬＥ＿ＮＡＭＥなどにより、複数のファイルを物理的に区別して管理したり、ＦＩＬＥ＿ＵＰＤなどにより、複数のファイルを時間的に区別したりして管理することができる。
【０１２７】
例えば、光ディスク１００のＲＯＭ層に、登録情報として「コンテンツＡ」が記録されている場合に、当該光ディスク１００のＲＥ層には、コンテンツＡに関する情報として、コンテンツＡ用更新情報であるファイルＡと、コンテンツＡ用文字情報であるファイルＢと、コンテンツＡ用広告映像であるファイルＣとが記録されているものとする。つまり、図４（ｂ）〜図４（ｄ）に示す属性情報は、それぞれファイルＡ〜Ｃに付属している情報である。
【０１２８】
これらのファイルＡ〜Ｃは、記録再生装置１が例えばコンテンツサーバから取得した後、記憶部１５に保存される関連情報であり、後述する記録再生装置１における処理により、光ディスク１００のＲＥ層に記録されるものである。この場合、ファイルＡ〜Ｃがそれぞれ有する図４（ｂ）〜図４（ｄ）に示す属性情報には、記録再生装置１により、ファイルＡ〜Ｃが記録されるＲＥ層におけるアドレス情報が付与される。このアドレス情報が付与された属性情報の集合体が、登録情報としてのコンテンツＡが記録された光ディスク１００に記録されるファイル管理情報となる。
【０１２９】
〔記録再生装置１における処理の流れ〕
次に、図５を用いて、記録再生装置１における処理の流れについて説明する。より具体的には、光ディスク１００が排出されるときに、記憶部１５（ローカルメモリ）内のデータと、光ディスク１００のＲＥ層に記録されているデータとの比較を行った後に、記憶部１５内のデータの記録を行う場合の記録再生装置１における処理の流れについて説明する。図５は、記録再生装置１における処理の流れを示すフローチャートである。
【０１３０】
なお、記録再生装置１では、ＲＯＭ層に登録情報を有する光ディスク１００が挿入されると、挿入されたこと、または、ユーザからの再生指示をトリガーとして、再生制御部２１がこの登録情報を読み出して再生を行う。また、再生制御部２１は、光ディスク１００が挿入されると、管理領域１０１から、光ディスク１００の構造を示すディスク識別情報を読み出し、データ管理部３３に送信する。
【０１３１】
そして、登録情報の再生中には、ユーザの指示を受けて、通信制御部２４が、通信装置２によりネットワークを介して例えばコンテンツサーバから当該登録情報に関する関連情報を取得したり、操作取得部２５が、ユーザが操作装置３を介して入力した上記登録情報に関する情報などを取得したりする。つまり、通信制御部２４または操作取得部２５は、登録情報の再生中に、当該登録情報の関連情報を外部から取得している。これらの関連情報は、データ管理部３３に送信される。
【０１３２】
データ管理部３３は、関連情報を取得すると、各関連情報の属性情報に、再生制御部２１が読み出したディスク識別情報の中から抽出した個体番号を関連情報の識別番号として付与する。そして、データ管理部３３は、識別番号が付与された関連情報を記憶部１５に保存する。
【０１３３】
このように、記録再生装置１では、上記の処理が図５に示すフローチャートの前提として行われている。以下、図５に示すフローチャートについて説明する。
【０１３４】
まず、操作取得部２５が、光ディスクの挿入部（不図示）からの排出動作の指示（ディスク排出動作指示）を取得する（ステップＳ１（以降、単に「Ｓ１」と称す））。このとき、例えばユーザが操作装置３を介して、光ディスクの排出指示を示す入力を行うと、その入力を示す入力信号が操作取得部２５に送信される。
【０１３５】
操作取得部２５が、この入力信号を媒体種確認部２７に送信すると、媒体種確認部２７は、挿入されているディスクの種類（ディスク種）を確認する（Ｓ２）。このため、媒体種確認部２７は、管理領域１０１から、上記ディスク識別情報を読み出すように再生制御部２１に読み出し指示を送信する。再生制御部２１は、この読み出し指示を受信すると、媒体制御回路群１２を制御することにより、上記ディスク識別情報を読み出す。再生制御部２１が、読み出したディスク識別情報を媒体種確認部２７に送信すると、媒体種確認部２７は、このディスク識別情報を確認することにより、挿入されているディスクが光ディスク１００（ハイブリッドディスク）であるか否かを判断する（Ｓ３）。
【０１３６】
なお、記録再生装置１では、前提として、光ディスク１００に記録されている登録情報が再生されているが、例えばユーザ指示により図５による処理を行わずに、その途中で他の光ディスクと入れ替えたりする可能性もある。このため、ディスク排出動作指示を取得したときにもハイブリッドディスクであることを確認することで、光ディスク１００に記録されている登録情報に関する関連情報を確実に記録することができるようにしている。
【０１３７】
媒体種確認部２７は、挿入されている光ディスクが光ディスク１００であると判断した場合（Ｓ３でＹＥＳ）、その旨を一致データ確認部２８に通知する。一致データ確認部２８は、この通知を受けると、光ディスク１００のＲＥ層（管理領域１０１）から個体番号を含むディスク識別情報を読み出すように再生制御部２１に読み出し指示を送信する。再生制御部２１は、この読み出し指示を受信すると、光ディスク１００の管理領域１０１からディスク識別情報を読み出し、一致データ確認部２８に送信する（Ｓ４）。
【０１３８】
一致データ確認部２８は、このディスク識別情報を受信すると、ディスク識別情報の中から個体番号を抽出し、その後、記憶部１５内に、この個体番号と一致する識別番号を有するデータが存在するかを確認する（Ｓ５）。具体的には、一致データ確認部２８は、記憶部１５に保存されている全データの属性情報を読み出し、これらデータを取得したときに属性情報に付与された識別番号を抽出し、この識別番号と、抽出した個体番号とを比較することで、記憶部１５内に、識別番号と個体番号とが一致するデータがあるか否かを判断する（Ｓ６）。
【０１３９】
一致データ確認部２８は、上記一致するデータ（一致データ）があると判断した場合（Ｓ６でＹＥＳ）、その旨を一致データ抽出部２９に通知する。一致データ抽出部２９は、この通知を受けると、記憶部１５から一致データを抽出し、データ比較部３０に送信する（Ｓ７）。
【０１４０】
データ比較部３０は、一致データを受信すると、光ディスク１００内のファイル管理情報の有無を確認する（Ｓ８）。具体的には、データ比較部３０は、光ディスク１００のＲＥ層からファイル管理情報を読み出すように再生制御部２１に読み出し指示を送信する。再生制御部２１は、この読み出し指示を受信すると、ＲＥ層にファイル管理情報が記録されていれば、ファイル管理情報を読み出し、データ比較部３０に送信する。データ比較部３０は、ファイル管理情報を受信した場合には、光ディスク１００内に「ファイル管理情報有り」と判断し、読み出し指示送信後、例えば所定の時間内にファイル管理情報を受信しなかった場合には、光ディスク１００内に「ファイル管理情報無し」と判断する（Ｓ９）。
【０１４１】
データ比較部３０は、光ディスク１００内にファイル管理情報があると判断した場合（Ｓ９でＹＥＳ）、Ｓ７で一致データ抽出部２９から受信した一致データ（一致データ抽出部２９が抽出したデータ）と、光ディスク１００から読み出されたファイル管理情報とを比較する（Ｓ１０）。具体的には、データ比較部３０は、一致データの属性情報と、ファイル管理情報に含まれる属性情報とを比較して、ファイル管理情報の属性情報の中に、一致データの属性情報と異なる属性情報が存在するか否かを確認する。データ比較部３０は、その異なる属性情報を有する一致データがあった場合には、光ディスク１００のＲＥ層（ユーザデータ領域１０３）には記録されていない一致データが記憶部１５内に存在する（「追加データ有り」）と判断し、異なる属性情報を有する一致データがなかった場合には、記憶部１５内の全一致データがＲＥ層のユーザデータ領域１０３に既に記録されている（「追加データ無し」）と判断する（Ｓ１１）。そして、データ比較部３０は、追加データ有りと判断した場合には（Ｓ１１でＹＥＳ）、その旨をデータ選択部３１に送信する。
【０１４２】
一方、データ比較部３０は、光ディスク１００内にファイル管理情報がないと判断した場合（Ｓ９でＮＯ）には、Ｓ７で一致データ抽出部２９が抽出した一致データが、光ディスク１００のＲＥ層（ユーザデータ領域１０３）に、当該光ディスク１００が有する登録情報に関する関連情報として初めて記録されるデータ（新規データ）であると判断する（Ｓ２０）。そして、データ比較部３０は、記憶部１５内に新規データがあると判断した旨をデータ選択部３１に通知する。
【０１４３】
データ選択部３１は、Ｓ１１でＹＥＳおよびＳ１０の処理で、追加データまたは新規データが存在する旨の通知を受けると、これらの追加データまたは新規データを光ディスク１００のＲＥ層（ユーザデータ領域１０３）に記録するための記録関連情報として選択する（Ｓ１２）。データ選択部３１は、追加データまたは新規データを記録関連情報として選択した旨を容量確認部３２に通知する。
【０１４４】
容量確認部３２は、この通知を受けると、光ディスク１００に記録用関連情報を記録可能であるかを確認するために、光ディスク１００のＲＥ層の空き容量を確認する（Ｓ１３）。具体的には、容量確認部３２は、Ｓ８で読み出されたファイル管理情報に含まれる各データの大きさ（ＦＩＬＥ＿ＳＩＺＥ：図２参照）を確認することで、光ディスク１００に空き容量があるか否かを確認する（Ｓ１４）。なお、容量確認部３２は、例えばＳ２でディスクの種別を判断する際に読み出されたディスク識別情報（例えば記憶部１５に保存されている）を確認すれば、光ディスク１００のＲＥ層（ユーザデータ領域１０３）の全容量を確認することができる。また、容量確認部３２は、Ｓ８でファイル管理情報が読み出されなかった場合には、上記全容量分の空き容量があると判断する。
【０１４５】
容量確認部３２は、空き容量があると判断した場合（Ｓ１４でＹＥＳ）、その旨をデータ管理部３３に通知する。データ管理部３３は、この通知を受けると、Ｓ１２で選択された記録用関連情報の、ＲＥ層のユーザデータ領域１０３における記録位置（アドレス情報）を決定し、その記録位置を記録用関連情報の属性情報に追加する。そして、データ管理部３３は、記録用関連情報の記録位置を決定すると、その旨を記録制御部２２に通知する。記録制御部２２は、この通知を受けると、媒体制御回路群１２を制御することにより、Ｓ１２で選択された記録用関連情報を記憶部１５から読み出し、光ディスク１００のＲＥ層（ユーザデータ領域１０３）に記録する（Ｓ１５）。記録制御部２２は、記録用関連情報の記録が完了すると、その旨をデータ管理部３３に通知する。
【０１４６】
また、データ管理部３３は、この通知を受けると、選択された全記録用関連情報の属性情報を用いて（これらの属性情報を全て含むように）、ファイル管理情報を作成または更新する（Ｓ１６）。つまり、データ管理部３３は、記録用関連情報が新規データである場合には、光ディスク１００内にはファイル管理情報が存在しないため、当該新規データの属性情報を用いてファイル管理情報を作成する。一方、記録用関連情報が追加データである場合には、Ｓ８で読み出されたファイル管理情報に追加データ分の属性情報を追加することにより、ファイル管理情報を更新する。
【０１４７】
データ管理部３３は、ファイル管理情報の作成または更新を完了すると、その旨を記録制御部２２に送信する。記録制御部２２は、この通知を受けると、光ディスク１００のＲＥ層にファイル管理情報を記録する（Ｓ１７）。記録制御部２２は、ファイル管理情報の記録が完了すると、その旨をデータ管理部３３に通知する。
【０１４８】
データ管理部３３は、この通知を受けると、記録用関連情報として選択された（すなわち光ディスク１００に記録された）追加データまたは新規データを記憶部１５から消去する（Ｓ１８）。データ管理部３３は、これらのデータを記憶部１５から消去した旨を挿入制御部２３に通知する。
【０１４９】
挿入制御部２３は、この通知を受けると、挿入部制御回路群１３を制御することにより、挿入部に挿入されている光ディスク１００を排出し（Ｓ１９）、図５に示す処理が終了する。また、Ｓ３でＮＯ、Ｓ６でＮＯ、Ｓ１１でＮＯおよびＳ１４でＮＯの場合にも、挿入制御部２３は、各部からその旨の通知を受け次第、光ディスク１００の排出処理を行う。
【０１５０】
なお、例えばファイル管理情報のうち、追加データとファイル名が同じで更新日時だけが異なるような関連情報の属性情報が存在する場合には、その関連情報を当該追加データと書き換えてもよい。この場合、この追加データは、当該追加データとファイル名が同じデータと同じ位置に記録される（すなわち上書きされる）。
【０１５１】
また、Ｓ１５の処理（記録用関連情報の光ディスク１００への記録）後に、Ｓ１６およびＳ１７の処理（ファイル管理情報の作成／更新後、当該ファイル管理情報の光ディスク１００への記録）が行われる場合について説明したが、これに限らず、Ｓ１６およびＳ１７の処理後にＳ１５の処理が行われてもよい。
【０１５２】
また、Ｓ１８の処理（記録用関連情報として選択された追加データまたは新規データを記憶部１５から消去する処理）については、Ｓ１９の処理（光ディスク１００の排出処理）が行われた後に行われてもよい。
【０１５３】
また、Ｓ９〜Ｓ１１の処理では、データ比較部３０は、光ディスク１００のＲＥ層に記録されているファイル管理情報を用いて追加データの有無を判断しているが、これに限らず、光ディスク１００のＲＥ層（ユーザデータ領域１０３）に記録されている関連情報そのものを用いて当該判断を行ってもよい。なお、光ディスク１００からのデータの読み出し時間短縮を考慮すれば、ファイル管理情報を用いて上記判断を行うことが好ましい。
【０１５４】
〔記録再生装置１における作用効果〕
本実施の形態に係る記録再生装置１（その制御方法）は、光ディスク１００の排出時に、ＲＥ層に記録されている記録情報と、記録再生装置１に保存されている、ＲＯＭ層に記録されている登録情報に関する情報である関連情報（記録済関連情報）と、を比較するデータ比較部３０（比較ステップ）と、データ比較部３０が比較した結果に基づいて、記録済関連情報の中から、ＲＥ層に記録する記録用関連情報を選択するデータ選択部３１（選択ステップ）と、を備えている。
【０１５５】
上記構成によれば、記録再生装置１では、上記登録情報と、当該登録情報に関連する情報（記録用関連情報）とが別々の光ディスクに記録される場合に従来必要であったユーザの手間（記録用関連情報の選択、光ディスクの差し替えなど）を解消することができ、ユーザの利便性を向上させることができる。
【０１５６】
つまり、光ディスク１００の排出時に、記録用関連情報が選択され、光ディスク１００のＲＥ層に記録されることになるので、この光ディスク１００を記録再生装置１に再度挿入すれば記憶部１５に再び保存させることができる。このため、光ディスクの入れ替えなど、ユーザを煩わせることなく、当該記録用関連情報を装置内に容易に復旧させることができるので、ユーザの利便性を向上させることができる。
【０１５７】
また、光ディスク１００に記録されていない記録済関連情報だけを記録用関連情報として選択することができるので、記録用関連情報を記録するときの処理時間の短縮を図ることができ、また、光ディスク１００の記録容量を有効活用することができる。
【０１５８】
また、挿入されている光ディスク１００について記録再生装置１での利用を終了するときに（すなわち光ディスク１００の排出時に）、当該光ディスク１００に記録するための記録用関連情報を選択する。このため、記録用関連情報をＲＥ層に記録するために、再生動作などの記録再生装置１における種々の動作の合間に何度も記録用関連情報を選択する、または、これらの動作を一旦停止させて選択するなどの処理を発生させることがない。つまり、記録再生装置１の処理効率を維持した状態で、ＲＥ層に記録するための記録用関連情報を一括で選択することができる。
【０１５９】
従って、記録再生装置１では、光ディスク１００に予め記録されている登録情報に関連した情報を当該情報記録媒体に記録することによって、ユーザを煩わせることなく、容易に管理するという効果を奏する。
【０１６０】
また、記録再生装置１では、光ディスク１００の排出時に、図５のＳ２において、ディスクの有無およびディスクの種類の確認、Ｓ１３において残容量の確認を行う。このため、ディスクの有無、ディスクの種別、ディスクの残容量など、ディスクの状況確認を行ってから、データ選択部３１が選択した記録用関連情報を記録すべき光ディスク１００のＲＥ層に記録することができる。
【０１６１】
さらに、記録再生装置１は、データ選択部３１が選択した記録用関連情報を、ＲＥ層に記録する記録制御部２２を備えているので、光ディスク１００の排出時に選択された記録用関連情報を、当該記録用関連情報と関連する登録情報が記録されている光ディスク１００のＲＥ層に記録することができる。また、例えば記憶部１５に保存されている記録用関連情報（データ選択部３１に選択された記録済関連情報）を消去しても、当該記録用関連情報を利用するたびに、他のディスクやネットワークなどから入手する手間がなくなる。
【０１６２】
なお、現在市販されているＢＤレコーダーまたはＢＤプレーヤーには、これらの装置に備えられた（接続された）記憶装置に保存されている関連情報などの、ネットワーク上から取得したデータを、挿入される光ディスクに記録する機能が設けられていない。また、これらの装置では、ユーザには、上記データを消去することだけが許可されている。
【０１６３】
従って、ユーザが上記データを消去した後に再度利用する場合には、ダウンロードなどの手段により再度当該データを入手する必要があったため、ユーザを煩わせることとなっていた。また、ネットワークがない環境において再度利用する場合には、上記データをダウンロードすることができないので、データを再利用できないという状況が生じる可能性があった。
【０１６４】
記録再生装置１は、上記のように記録用関連情報を光ディスク１００のＲＥ層に記録するので、上記データを利用する再生媒体（上記データと関連する登録情報が記録されている媒体）と合わせて管理することが可能となるので、再度入手する必要がないという効果を奏する。
【０１６５】
さらに、記録再生装置１では、データ比較部３０は、光ディスク１００に記録されている個体番号と、記録再生装置１に保存されている記録済関連情報に含まれる識別番号とが一致すると判定した場合に、この記録済関連情報と、光ディスク１００に記録されている記録情報との比較を行う。このため、記録済関連情報を記録すべき光ディスク１００を確実に特定した上で、当該光ディスク１００に記録する記録用関連情報を選択することができる。
【０１６６】
さらに、データ管理部３３は、再生制御部２１が登録情報を再生しているときに、通信制御部２４または操作取得部２５が外部から取得した関連情報を記録済関連情報として記録再生装置１に保存する。このため、記録再生装置１では、外部から取得した関連情報の中から記録用関連情報を選択することができる。また、記録再生装置１は、関連情報を外部から取得することによって、新しい記録済関連情報または更新された記録済関連情報をその内部に保存しておくことができる。
【０１６７】
さらに、記録再生装置１では、記録制御部２２は、光ディスク１００のＲＥ層に、データ選択部３１により選択された記録用関連情報の属性情報を示すファイル管理情報を記録情報として記録する。このため、次にこの光ディスク１００が記録再生装置１に挿入されたときに、データ比較部３０は、光ディスク１００に記録されたファイル管理情報と、記録再生装置１に保存された記録済関連情報とを比較すればよい。つまり、ＲＥ層に記録されている関連情報（記録用関連情報）そのものを読み出して比較する必要がないので、ファイル管理情報を記録した後に当該比較にかかる処理時間を低減することが可能な光ディスク１００を提供することができる。
【０１６８】
さらに、記録再生装置１では、データ比較部３０は、再生制御部２１によって読み出されたＲＥ層に記録されているファイル管理情報を用いて、記録再生装置１に保存されている記録済関連情報との比較を行うことができる。このため、ＲＥ層に記録されている関連情報（記録用関連情報）そのものを読み出して比較する必要がないので、当該比較にかかる処理時間を低減することができ、処理の迅速化を図ることができる。
【０１６９】
さらに、記録再生装置１では、データ管理部３３が、データ選択部３１が記録用関連情報として選択した記録済関連情報を消去するので、光ディスク１００の排出後に記録再生装置１にて記録用関連情報が利用されるといった状況を回避することができる。つまり、記録用関連情報を光ディスク１００だけで管理することができるので、当該記録用関連情報の複製を防止して、セキュリティーの向上を図ることができる。
【０１７０】
この構成は、記憶部１５がＵＳＢメモリなどの取り外し可能な媒体で実現されている場合には特に有益である。これは、ＵＳＢメモリなどの場合には、記録再生装置１以外での記録用関連情報の利用が可能となるが、記憶部１５から記録用関連情報を削除しておくことにより、そのような利用を未然に防ぐことができるからである。
【０１７１】
なお、記録用関連情報の記録再生装置１からの消去は、記録用関連情報の光ディスク１００への記録後（または、光ディスク１００の排出後）に、例えば自動的に（ユーザの確認なしに）行われるものとする。
【０１７２】
さらに、記録再生装置１では、媒体種確認部２７が記録再生装置１に挿入された光ディスクが少なくとも上記の２層を備えると判定した場合に（つまりハイブリッドディスクである光ディスク１００であると判定した場合に）、データ比較部３０が上述の比較処理を行う。このため、光ディスク１００に登録情報が記録されていても、当該光ディスク１００に、当該登録情報に関連する記録用関連情報を記録可能な領域が無い場合には、上記比較処理を行う必要がない。つまり、上記記録用関連情報を記録不可能なディスクについては、データ比較部３０やデータ選択部３１などの処理を行わせる必要がないので、無駄な処理を行うことを未然に防ぐことができる。
【０１７３】
また、上記のように判定された場合に、データ比較部３０による比較処理後の処理（すなわちデータ選択部３１による記録用関連情報の選択や、記録制御部２２による当該記録用関連情報の光ディスク１００への記録）が行われるので、例えばあるディスクに登録情報が記録され、このディスクとは異なる別のディスクに登録情報に関連する記録用関連情報が記録されることを未然に防ぐことができる。また、登録情報を有する光ディスク１００に、当該登録情報に関する関連情報を記録するので、当該関連情報を記録するための光ディスク１００とは異なるディスクを用意する必要がなく、低コストでのバックアップが可能となる。
【０１７４】
さらに、登録情報に関連した記録済関連情報が追加情報または補完情報であるので、記録再生装置１は、当該登録情報が記録されている光ディスク１００に確実に記録することができる。
【０１７５】
〔実施の形態２〕
本発明の他の実施形態について図２、図６〜図１０に基づいて説明すれば、以下のとおりである。なお、実施の形態１と同様の部材に関しては、同じ符号を付し、その説明を省略する。
【０１７６】
〔記録再生システム１０ａの概要〕
本実施の形態に係る記録再生システム１０ａは、図２に示すように、記録再生装置１ａ、通信装置２、操作装置３および表示装置４を備えている。記録再生装置１が記録再生装置１ａと代わっている以外、実施形態１の記録再生システム１０ａと同様であるので、ここではその説明を省略する。なお、記録再生装置１ａの構成については後述する。
【０１７７】
〔記録再生装置１ａの構成〕
次に、図６を用いて、本実施の形態に係る記録再生システム１０ａにおける記録再生装置１ａの概略構成の一例について説明する。図６は、本実施の形態に係る記録再生システム１０ａにおける記録再生装置１ａの概略構成の一例を示すブロック図である。
【０１７８】
記録再生装置１ａは、記録再生装置１と同様、本実施の形態に係る光ディスク１００などの光情報記録媒体に対して情報の記録制御または再生制御を行うものである。また、記録再生装置１ａは、記録再生装置１と異なり、光ディスク１００に記録されている登録情報の再生停止時、自装置の電源オフ時、または、関連情報などのダウンロード完了時に、記憶部１５内の関連情報（一致データ）を全て光ディスク１００に記録し、光ディスク１００の排出時に、光ディスク１００に記録しておく（残しておく）一致データを選択する構成となっている。記録再生装置１ａは、この処理を実現するために、媒体装填確認部１１、媒体制御回路群１２、挿入部制御回路群１３、制御部１４ａおよび記憶部１５を備えている。なお、制御部１４ａ以外の構成については、記録再生装置１の各部と同様の機能を有するので、ここではその説明を省略する。
【０１７９】
制御部１４ａは、制御部１４と同様、例えば制御プログラムを実行することにより、記録再生装置１ａを構成する部材を制御するものである。制御部１４ａは、再生制御部２１（再生制御手段）、記録制御部２２ａ（記録制御手段）、挿入制御部２３、通信制御部２４（取得手段）、操作取得部２５（取得手段）、表示制御部２６、媒体種確認部２７（媒体判定手段）、一致データ確認部２８（判定手段）、一致データ抽出部２９、データ比較部３０ａ（比較手段）、データ選択部３１ａ（選択手段）、容量確認部３２、データ管理部３３ａ（更新手段、保存制御手段）および電源制御部３４（電源制御手段）を備えている。
【０１８０】
なお、再生制御部２１、挿入制御部２３、通信制御部２４、操作取得部２５、表示制御部２６、媒体種確認部２７、一致データ確認部２８、一致データ抽出部２９および容量確認部３２については、本質的には、実施の形態１と同様の処理を行うので、その説明については省略する。
【０１８１】
例えば、再生制御部２１は、光ディスク１００のＲＯＭ層に記録されている登録情報に対する再生制御を行うものである。また、通信制御部２４および操作取得部２５は、関連情報を外部から取得するものであり、媒体種確認部２７は、記録再生装置１ａに挿入されているディスクが、少なくともＲＯＭ層およびＲＥ層を備えているか否かを判定するものである。また、一致データ確認部２８は、光ディスク１００に記録されている、当該光ディスク１００を識別するための個体番号が、記録再生装置１ａに保存されている関連情報に含まれる識別番号と一致するか否かを判定するものである。
【０１８２】
なお、上記関連情報としては、実施の形態１と同様に、追加コンテンツなどが挙げられる。また、実施の形態２において、記憶部１５に保存されている関連情報、および、記録制御部２２ａによってＲＥ層に記録された関連情報を「記録済関連情報」と称する場合がある。
【０１８３】
記録制御部２２ａは、実施の形態１と同様、光ディスク１００などの光情報記録媒体に対する情報の記録制御を行うものである。その他、記録制御部２２ａは、再生制御部２１が再生している登録情報を停止するときに、電源制御部３４が供給している記録再生装置１ａの各部へ電力供給を停止するときに、記録再生装置１ａに保存されている関連情報を光ディスク１００のＲＥ層に記録するものである。また、通信制御部２４または操作取得部２５による関連情報の取得（例えば関連情報のダウンロード）が完了したときに、データ管理部３３ａにより記録再生装置１ａに保存された関連情報を光ディスク１００のＲＥ層に記録するものでもある。
【０１８４】
また、記録制御部２２ａによる、上記の登録情報の再生停止時、電源供給停止時またはダウンロード完了時における光ディスク１００への関連情報の記録は、一致データ確認部２８により個体番号と識別番号とが一致した（個体識別情報どうしが一致した）場合に行われる。
【０１８５】
一方、記録制御部２２ａは、データ管理部３３ａが記録用関連情報を記録しないと判断した場合には、光ディスク１００のＲＥ層に記録されている、記録用関連情報として判断された追加データまたは新規データを消去するものである。
【０１８６】
データ比較部３０ａは、光ディスク１００の排出時に、ＲＯＭ層に記録されている登録情報に関する情報としてＲＥ層に記録されている関連情報（記録済関連情報）と、光ディスク１００の挿入時にＲＥ層に記録されていた関連情報の属性情報を示すファイル管理情報と、を比較するものである。
【０１８７】
具体的には、データ比較部３０ａは、再生制御部２１が光ディスク１００から関連情報を読み出すか否かにより、光ディスク１００のＲＥ層に関連情報が存在するかを確認し、関連情報がある場合には、実施の形態１と同様の方法により、ファイル管理情報の有無を確認する。
【０１８８】
データ比較部３０ａは、光ディスク１００内にファイル管理情報があると判断した場合には、ファイル管理情報の属性情報の中に、光ディスク１００内の関連情報の属性情報と異なる属性情報が存在するか否かを確認する。確認の結果、異なる属性情報を有する関連情報があった場合には、光ディスク１００内に、光ディスク１００の挿入時にＲＥ層に記録されていた関連情報とは異なる関連情報が存在する（「追加データ有り」）と判断し、異なる属性情報を有する関連情報がなかった場合には、光ディスク１００内の関連情報が、光ディスク１００の挿入時から既に存在する関連情報と同じである（「追加データ無し」）と判断する。
【０１８９】
一方、データ比較部３０ａは、光ディスク１００内にファイル管理情報がないと判断した場合には、光ディスク１００内の関連情報が、当該光ディスク１００が有する登録情報に関する関連情報として初めて記録されるデータ（新規データ）であると判断する。
【０１９０】
また、データ比較部３０ａは、上記の登録情報の再生停止時、電源供給停止時またはダウンロード完了時において、記録制御部２２ａが光ディスク１００に記録した関連情報（記録済関連情報）を、光ディスク１００の挿入時のファイル管理情報と比較するものである。また、この場合のデータ比較部３０ａによる比較は、媒体種確認部２７が光ディスク１００にＲＯＭ層およびＲＥ層が備えられていると判定した場合に行われる。
【０１９１】
データ選択部３１ａは、光ディスク１００内に上記追加データまたは新規データが存在することが確認された場合に、これらのデータを光ディスク１００のＲＥ層に残す記録用関連情報として選択するものである。換言すれば、データ選択部３１ａは、データ比較部３０ａが比較した結果に基づいて、関連情報（記録済関連情報）の中から、ＲＥ層に記録しておく記録用関連情報を選択するものである。
【０１９２】
データ管理部３３ａは、上記の登録情報の再生停止時、電源供給停止時またはダウンロード完了時に、一致データ抽出部２９が抽出した一致データの、光ディスク１００のＲＥ層における記録位置（アドレス情報）を決定し、その記録位置を一致データの属性情報に追加するものである。これにより、記録制御部２２ａは、光ディスク１００のＲＥ層の所定の位置に一致データを記録することができる。
【０１９３】
また、データ管理部３３ａは、登録情報の再生中に関連情報を外部から取得すると、関連情報の属性情報に、挿入されている光ディスク１００の個体番号を識別番号として付与し、識別番号が付与された関連情報を記憶部１５に保存するものである。換言すれば、通信制御部２４または操作取得部２５が取得した関連情報を記録再生装置１ａに保存するものである。また、この間、データ管理部３３ａは、関連情報の取得が完了したか否かを確認している。
【０１９４】
また、データ管理部３３ａは、ユーザ選択により、データ選択部３１ａにより選択された記録用関連情報を記録しておくと判断した場合には、記憶部１５に保存されている、当該記録用関連情報の属性情報を用いてファイル管理情報を作成または更新する。換言すれば、データ管理部３３ａは、データ選択部３１ａが選択した記録用関連情報を用いて、ファイル管理情報を更新するものである。これにより、記録制御部２２ａは、このファイル管理情報を光ディスク１００に記録することができる。
【０１９５】
一方、データ管理部３３ａは、上記記録用関連情報を記録しないと判断した場合には、記録制御部２２ａを介して、光ディスク１００のＲＥ層に記録されている、記録用関連情報として判断された追加データまたは新規データを消去する。
【０１９６】
電源制御部３４は、自装置の電力供給を制御するものであり、例えば電源（不図示）からの各部に対する電力供給を停止させるものである。
【０１９７】
〔記録再生装置１ａにおける処理の流れ〕
次に、図７〜図１０を用いて、記録再生装置１ａにおける処理の流れについて説明する。まず、光ディスク１００に記録されている登録情報の再生停止時の処理（図７）、自装置の電源オフ時の処理（図８）、および、関連情報のダウンロード完了時の処理（図９）について説明する。また、図１０を用いて、図７〜図９に示す処理において光ディスク１００に記録された一致データのうち、光ディスク１００の排出時に、光ディスク１００に残しておく記録用関連情報（一致データ）を選択する処理について説明する。つまり、図１０に示す処理は、図７〜図９の処理後に行われるものである。
【０１９８】
なお、図７〜図９の処理のうち、光ディスク１００の排出指示前に、少なくとも１つの処理が行われる構成であればよく、２以上の処理が行われる場合には、どのような順序で行われてもよい。また、同じ処理が複数回行われてもよい。
【０１９９】
また、図７〜図９の処理前の処理、すなわち、光ディスク１００が挿入されてからの、登録情報の再生、関連情報の取得、当該関連情報に対する識別番号の付与などの処理については、実施の形態１の処理と同様であるので、ここではその説明を省略する。
【０２００】
（登録情報の再生停止時における処理の流れ）
まず、図７を用いて、挿入されている光ディスク１００に記録されている登録情報の再生停止時の処理について説明する。図７は、記録再生装置１ａにおける登録情報の再生停止時の処理の流れの一例を示すフローチャートである。
【０２０１】
まず、操作取得部２５が、登録情報の再生停止の指示（再生停止動作指示）を取得する（Ｓ３１）。このとき、例えばユーザが操作装置３を介して、再生中の登録情報に対する再生停止の指示を示す入力を行うと、その入力を示す入力信号が操作取得部２５に送信される。
【０２０２】
操作取得部２５が、この入力信号を再生制御部２１に送信すると、再生制御部２１は、再生中の登録情報を停止することにより、再生停止動作が行われる（Ｓ３２）。再生制御部２１は、登録情報の再生を停止すると、その旨を媒体種確認部２７に通知する。
【０２０３】
媒体種確認部２７は、この通知を受けると、挿入されているディスクの種類（ディスク種）を確認する（Ｓ３３）。このＳ３３〜Ｓ３７の処理は、図５に示すＳ２〜Ｓ６の処理と同様であるため、その説明については省略する。
【０２０４】
Ｓ３７において、一致データ確認部２８は、上記一致するデータ（一致データ）があると判断した場合（Ｓ３７でＹＥＳ）、その旨を容量確認部３２に通知する。容量確認部３２は、この通知を受けると、光ディスク１００に一致データを記録可能であるかを確認するために、光ディスク１００のＲＥ層の空き容量を確認する（Ｓ３８）。具体的には、容量確認部３２は、光ディスク１００のＲＥ層からファイル管理情報を読み出すように再生制御部２１に読み出し指示を送信する。再生制御部２１は、この読み出し指示を受信すると、光ディスク１００からファイル管理情報を読み出し、容量確認部３２に送信する。容量確認部３２は、このファイル管理情報を参照することで、光ディスク１００に空き容量があるか否かを確認する（Ｓ３９）。なお、容量確認部３２は、例えばＳ３３で光ディスクの種別を判断する際に読み出されたディスク識別情報（例えば記憶部１５に保存されている）を確認すれば、光ディスク１００のＲＥ層（ユーザデータ領域１０３）の全容量を確認することができる。また、容量確認部３２は、例えば所定の時間経過しても、再生制御部２１からファイル管理情報を受信しない場合には、光ディスク１００にファイル管理情報が無いものとして、ＲＥ層に上記全容量分の空き容量があると判断する。
【０２０５】
容量確認部３２は、空き容量があると判断した場合（Ｓ３９でＹＥＳ）、その旨を一致データ抽出部２９に通知する。一致データ抽出部２９は、この通知を受けると、記憶部１５から一致データを抽出し、データ管理部３３ａに送信する（Ｓ４０）。
【０２０６】
データ管理部３３ａは、一致データを受信すると、当該一致データの、ＲＥ層のユーザデータ領域１０３における記録位置（アドレス情報）を決定し、その記録位置を一致データの属性情報に追加する。そして、データ管理部３３ａは、一致データの記録位置を決定すると、この一致データを記録制御部２２ａに通知する。記録制御部２２ａは、一致データを受信すると、光ディスク１００のＲＥ層（ユーザデータ領域１０３）に記録し（Ｓ４１）、図７に示す処理が終了する。また、Ｓ３４でＮＯ、Ｓ３７でＮＯおよびＳ３９でＮＯの場合にも、図７に示す処理が終了する。
【０２０７】
（記録再生装置１ａの電源オフ時における処理の流れ）
次に、図８を用いて、記録再生装置１ａの電源オフ時における処理の流れについて説明する。図８は、記録再生装置１ａの電源オフ時における処理の流れの一例を示すフローチャートである。
【０２０８】
まず、操作取得部２５が、記録再生装置１ａの電源オフの指示（電源ＯＦＦ動作指示）を取得する（Ｓ５１）。このとき、例えばユーザが操作装置３を介して、電源オフの指示を示す入力（例えば電源ボタンを押すなど）を行うと、その入力を示す入力信号が操作取得部２５に送信される。
【０２０９】
操作取得部２５が、この入力信号を媒体種確認部２７に送信すると、媒体種確認部２７は、挿入されているディスクの種類（ディスク種）を確認する（Ｓ５２）。その後、Ｓ５２〜Ｓ６０の処理は、図７に示すＳ３３〜Ｓ４１の処理と同様であるため、その説明については省略する。
【０２１０】
Ｓ６０において、記録制御部２２ａは、データ管理部３３ａから、記録位置が決定している一致データを受信すると、光ディスク１００のＲＥ層（ユーザデータ領域１０３）に記録する。そして、光ディスク１００への一致データの記録が完了すると、その旨を電源制御部３４に通知する。
【０２１１】
電源制御部３４は、この通知を受けると、電源（不図示）からの各部に対する電力供給を停止させ（Ｓ６１）、図８に示す処理が終了する。
【０２１２】
（関連情報のダウンロード完了時における処理の流れ）
次に、図９を用いて、記録再生装置１ａの関連情報のダウンロード完了時における処理の流れについて説明する。図９は、関連情報のダウンロード完了時における処理の流れの一例を示すフローチャートである。
【０２１３】
まず、通信制御部２４が、例えばコンテンツサーバから関連情報のダウンロードを行っている場合（または、操作取得部２５が、ユーザの入力による関連情報を取得している場合）、取得する関連情報を順次データ管理部３３ａに送信する。データ管理部３３ａは、この関連情報を受信すると、記憶部１５に保存する。データ管理部３３ａは、この間、関連情報のダウンロードの完了を確認している（Ｓ７１）。データ管理部３３ａは、例えばパケット通信の場合、最終フレームであることを示すフラグを確認することにより関連情報の全てを受信したか否か、すなわち関連情報のダウンロードが完了したか否かを判断する（Ｓ７２）。データ管理部３３ａは、ダウンロードが完了するまで関連情報の受信を行うので、Ｓ７２でＮＯの場合には、引き続きダウンロードの完了の確認を行う。
【０２１４】
データ管理部３３ａは、ダウンロードが完了したことを確認すると（Ｓ７２でＹＥＳ）、その旨を媒体種確認部２７に通知する。媒体種確認部２７は、この通知を受けると、媒体種確認部２７は、挿入されているディスクの種類（ディスク種）を確認する（Ｓ７３）。その後のＳ７３〜Ｓ８１の処理は、図８に示すＳ３３〜Ｓ４１の処理と同様であるため、その説明については省略する。
【０２１５】
（光ディスク１００の排出動作時における処理の流れ）
次に、図１０を用いて、光ディスク１００の排出動作時における処理の流れについて説明する。図１０は、光ディスク１００の排出動作時における処理の流れの一例を示すフローチャートである。
【０２１６】
まず、操作取得部２５が、光ディスクの挿入部（不図示）からの排出動作の指示（ディスク排出動作指示）を取得する（Ｓ９１）。その後のＳ９１〜Ｓ９３の処理は、図５に示すＳ１〜Ｓ３の処理と同様であるので、その説明については省略する。
【０２１７】
Ｓ９３において、媒体種確認部２７は、挿入されているディスクが光ディスク１００であると判断した場合（Ｓ９３でＹＥＳ）、その旨をデータ比較部３０ａに通知する。データ比較部３０ａは、この通知を受けると、光ディスク１００のＲＥ層（ユーザデータ領域１０３）に関連情報（一致データ）が記録されているかを確認する（Ｓ９４）。具体的には、データ比較部３０ａは、光ディスク１００のＲＥ層から関連情報を読み出すように再生制御部２１に読み出し指示を送信する。再生制御部２１は、この読み出し指示を受信すると、ＲＥ層のユーザデータ領域１０３に関連情報が記録されていれば、この関連情報を読み出し、データ比較部３０ａに送信する。データ比較部３０ａは、関連情報を受信した場合には、光ディスク１００内に「データ有り」と判断し、読み出し指示送信後、例えば所定の時間内にファイル管理情報を受信しなかった場合には、光ディスク１００内に「データ無し」と判断する（Ｓ９５）。
【０２１８】
データ比較部３０ａは、光ディスク１００内に関連情報があると判断した場合（Ｓ９５でＹＥＳ）、次に光ディスク１００内のファイル管理情報の有無を確認する（Ｓ９６）。この場合、図５に示すＳ９と同様の処理を行うことで、光ディスク１００のＲＥ層にファイル管理情報が記録されているか否かを判定する（Ｓ９７）。
【０２１９】
データ比較部３０ａは、光ディスク１００内にファイル管理情報があると判断した場合（Ｓ９７でＹＥＳ）、Ｓ９４で再生制御部２１が読み出した関連情報（光ディスク１００から抽出した関連情報）と、Ｓ９６で再生制御部２１が読み出したファイル管理情報とを比較する（Ｓ９８）。
【０２２０】
具体的には、データ比較部３０ａは、関連情報の属性情報と、ファイル管理情報に含まれる属性情報とを比較して、ファイル管理情報の属性情報の中に、関連情報の属性情報と異なる属性情報が存在するか否かを確認する。データ比較部３０ａは、その異なる属性情報を有する関連情報があった場合には、光ディスク１００の挿入時にＲＥ層に記録されていた関連情報とは異なる関連情報が、Ｓ９４で記録制御部２２ａが読み出した関連情報の中に存在する（「追加データ有り」）と判断する。一方、データ比較部３０ａは、異なる属性情報を有する関連情報がなかった場合には、Ｓ９４で読み出された関連情報は、光ディスク１００の挿入時から既に存在する関連情報と同じである（「追加データ無し」）と判断する（Ｓ９９）。そして、データ比較部３０ａは、追加データ有りと判断した場合には（Ｓ９９でＹＥＳ）、その旨をデータ選択部３１ａに送信する。
【０２２１】
一方、データ比較部３０ａは、光ディスク１００内にファイル管理情報がないと判断した場合（Ｓ９９でＮＯ）には、Ｓ９４で再生制御部２１が読み出した関連情報（抽出した関連情報）が、光ディスク１００のＲＥ層（ユーザデータ領域１０３）に、当該光ディスク１００が有する登録情報に関する関連情報として初めて記録されるデータ（新規データ）であると判断する（Ｓ１０６）。そして、データ比較部３０ａは、記憶部１５内に新規データがあると判断した旨をデータ選択部３１ａに通知する。
【０２２２】
データ選択部３１ａは、Ｓ９９でＹＥＳおよびＳ１０６の処理で、追加データまたは新規データが存在する旨の通知を受けると、これらの追加データまたは新規データを、光ディスク１００のＲＥ層（ユーザデータ領域１０３）に残す（記録しておく）記録用関連情報として選択する（Ｓ１００）。データ選択部３１ａは、追加データまたは新規データを記録用関連情報として選択した旨を表示制御部２６に通知する。
【０２２３】
表示制御部２６は、この通知を受けると、「関連情報を保存しますか？」というメッセージを含む問合せ画像を作成し、表示装置４に表示させる（Ｓ１０１）。ユーザは、このメッセージを確認すると、追加データを保存するか否かの判断を、操作装置３を介して記録再生装置１ａに入力する。記録再生装置１ａでは、操作取得部２５がこの入力を入力信号として受信し、データ管理部３３ａに送信する。データ管理部３３ａは、この入力信号を解析して、データ選択部３１ａで選択された記録用関連情報をそのまま保存（記録）しておくか否かを判断する（Ｓ１０２）。
【０２２４】
データ管理部３３ａは、選択された記録用関連情報を記録しておくと判断した場合には（Ｓ１０２でＹＥＳ）、記憶部１５に保存されている、記録用関連情報と判断された追加データまたは新規データの属性情報を用いてファイル管理情報を作成または更新し（Ｓ１０３）、このファイル管理情報を記録制御部２２ａに送信する。記録制御部２２ａは、ファイル管理情報を受信すると、光ディスク１００のＲＥ層に記録し、その旨を挿入制御部２３に通知する（Ｓ１０４）。
【０２２５】
一方、データ管理部３３ａは、選択された記録用関連情報を記録しないと判断した場合には（Ｓ１０２でＮＯ）、光ディスク１００のＲＥ層（ユーザデータ領域１０３）に記録されている、記録用関連情報として判断された追加データまたは新規データを消去するように、記録制御部２２ａにデータ消去指示を送信する。
【０２２６】
記録制御部２２ａは、データ消去指示を受信すると、光ディスク１００内の上記追加データまたは新規データを消去する（Ｓ１０７）。具体的には、記録制御部２２ａは、上記追加データまたは新規データが記録されている領域を未記録状態にするか、全く関係のない情報（意味を成さない情報）に書き換えることで、これらのデータを消去する。記録制御部２２ａは、これらのデータを消去すると、その旨を挿入制御部２３に通知する。
【０２２７】
挿入制御部２３は、Ｓ１０４またはＳ１０７での処理後の通知を受けると、挿入部制御回路群１３を制御することにより、挿入部に挿入されている光ディスク１００を排出し（Ｓ１０５）、図１０に示す処理が終了する。また、Ｓ９３でＮＯ、Ｓ９５でＮＯ、Ｓ９９でＮＯの場合にも、挿入制御部２３は、各部からその旨の通知を受け次第、光ディスク１００の排出処理を行う。
【０２２８】
なお、図５に示すＳ１８の処理と同様、データ管理部３３ａが、Ｓ１００にて記録用関連情報として選択された追加データまたは新規データであって、記憶部１５に保存されているこれらのデータを消去する構成であってもよい。この場合、実施の形態１と同様、光ディスク１００の排出後には、当該光ディスク１００に記録された記録用関連情報として選択された関連情報を記憶部１５に残さないので、他のディスクが挿入されたときに当該関連情報が利用されるといった行為を事前に防ぐことができる。従って、この場合には、安全性の高いデータ管理を行うことができる。
【０２２９】
また、Ｓ１０７の処理では、記録制御部２２ａは、光ディスク１００内の追加データまたは新規データを消去しているが、これに限らず、これらのデータが記録されている記録位置を示すアドレス情報だけを消去する構成であってもよい。
【０２３０】
この場合、光ディスク１００内にはこれらのデータが記録されたままとなっているが、ファイルフォーマット上の当該データのファイル管理をしている部分（どのアドレス位置にどのファイルが記録されているかを管理している部分）のアドレス情報だけを消去することで、ファイルフォーマット的には消去されたと見せかけて、当該データを読み出すことができないようにしている。つまり、上記追加データまたは新規データのファイル管理情報だけを光ディスク１００から消去し、これらのデータそのものは消去しないので、消去処理を速くすることができる。なお、この消去方法の場合、再び同じ追加データまたは新規データが記録されるときには、光ディスク１００に記録されたままとなっている（見かけ上消去された）これらのデータに上書きされることとなる。
【０２３１】
〔記録再生装置１ａにおける作用効果〕
本実施の形態に係る記録再生装置１ａは、実施の形態１における記録再生装置１と同様の作用効果を奏するとともに、さらに以下の作用効果を奏する。
【０２３２】
例えば、記録再生装置１ａ（その制御方法）は、光ディスク１００の排出時に、ＲＯＭ層に記録されている登録情報に関する情報としてＲＥ層に記録されている関連情報（記録済関連情報）と、光ディスク１００の挿入時にＲＥ層に記録されていた記録済関連情報の属性情報を示すファイル管理情報と、を比較するデータ比較部３０ａ（比較ステップ）と、データ比較部３０ａが比較した結果に基づいて、記録済関連情報の中から、ＲＥ層に記録しておく記録用関連情報を選択するデータ選択部３１ａ（選択ステップ）と、を備えている。
【０２３３】
上記構成によれば、実施の形態１と同様、情報記録媒体に予め記録されている登録情報に関連した情報を当該情報記録媒体に記録することによって、ユーザを煩わせることなく、容易に管理することができるという効果を奏する。
【０２３４】
また、記録再生装置１ａは、データ管理部３３ａが、記録用関連情報を用いてファイル管理情報を更新するので、光ディスク１００が挿入されるたびに、新しいファイル管理情報を用いてデータ比較部３０ａおよびデータ選択部３１ａによる処理を行うことができる。
【０２３５】
また、記録再生装置１ａでは、再生制御部２１による登録情報の再生停止時、電源制御部３４による記録再生装置１ａの電源オフ時、または、通信制御部２４または操作取得部２５による関連情報のダウンロード完了時に、記録制御部２２ａが、記録再生装置１ａに保存されている記録済関連情報を、当該記録済関連情報と関連のある登録情報が記録されている光ディスク１００のＲＥ層に記録する。そして、データ比較部３０ａは、このときＲＥ層に記録された記録済関連情報と、当該ＲＥ層に記録されているファイル管理情報とを比較する。
【０２３６】
これにより、記録再生装置１ａは、ＲＥ層に記録しておくべきであると判断される記録用関連情報の候補を、少なくとも光ディスク１００の排出前に当該ＲＥ層に記録しておくことができる。
【０２３７】
また、記録再生装置１ａでは、記録制御部２２ａは、光ディスク１００に記録されている個体番号と、記録再生装置１ａに保存されている記録済関連情報に含まれる識別番号とが一致すると判定した場合に、この記録済関連情報を光ディスク１００のＲＥ層に記録する。このため、記録済関連情報を記録すべき光ディスク１００を確実に特定した上で、当該光ディスク１００に記録する記録用関連情報を選択することができる。
【０２３８】
また、記録再生装置１ａでは、媒体種確認部２７が記録再生装置１ａに挿入された光ディスク１００が少なくとも上記の２層を備えると判定した場合に、データ比較部３０ａが上述の比較処理を行うので、実施の形態１と同様に、無駄な処理を行うことを未然に防ぐことができる。
【０２３９】
〔本発明の別表現〕
なお、本発明は、以下のようにも表現できる。
【０２４０】
すなわち、本発明に係る光情報記録媒体の記録再生装置は、少なくとも１層の記録再生可能層と少なくとも1層の再生専用層を有する、２層以上の多層の光情報記録媒体に対して記録再生を行う記録再生装置であって、上記記録再生装置は、特定の情報を保存するためのローカルメモリを有し、上記記録再生装置は、上記光情報記録媒体を排出する指示を受けて、上記ローカルメモリに保存されている特定の情報と上記光情報記録媒体の記録再生可能層に記録されている情報との比較を行うものである。
【０２４１】
また、本発明に係る記録再生装置において、ローカルメモリに記録される特定の情報は、再生専用層に記録されているコンテンツに係る追加情報または補完情報であることが好ましい。
【０２４２】
また、本発明に係る記録再生装置は、上記ローカルメモリに記録されている特定の情報に含まれる識別番号と、再生専用層に記録されている識別番号とが一致しているかどうかの判別を行う手段を有することが好ましい。
【０２４３】
また、本発明に係る記録再生装置において、上記特定の情報を、上記光情報記録媒体の再生専用層の再生時に入手し、ローカルメモリに記録する手段を有することが好ましい。
【０２４４】
また、本発明に係る記録再生装置は、特定の情報を記録再生可能層に記録した後、上記記録媒体の記録再生可能層に記録管理情報を記録することが好ましい。
【０２４５】
また、本発明に係る記録再生装置は、上記記録媒体の記録再生可能層に記録されている記録管理情報を読み出し、記録管理情報から、記録しようとしている特定の情報が既に記録されているかを判別する手段を有することが好ましい。
【０２４６】
また、本発明に係る記録再生装置は、上記光情報記録媒体を排出した後、ローカルメモリ内の特定の情報を消去する手段を有することが好ましい。
【０２４７】
また、本発明に係る記録再生装置は、上記記録媒体の排出指示を受けた後、上記特定の情報を光情報記録媒体の記録再生可能層に記録を行うことが好ましい。
【０２４８】
また、本発明に係る記録再生装置は、上記記録媒体の再生停止指示を受けた後、上記特定の情報を光情報記録媒体の記録再生可能層に記録を行うことが好ましい。
【０２４９】
また、本発明に係る記録再生装置は、上記記録再生装置の電源供給の停止指示を受けた後、上記特定の情報を光情報記録媒体の記録再生可能層に記録を行うことが好ましい。
【０２５０】
また、本発明に係る記録再生装置は、上記特定の情報の入手が完了した指示を受けた後、上記特定の情報を光情報記録媒体の記録再生可能層に記録を行うことが好ましい。
【０２５１】
また、本発明に係るローカルメモリの情報保存方法は、少なくとも１層の記録再生可能層と少なくとも１層の再生専用層を有する、２層以上の多層の光情報記録媒体に対して記録再生を行う記録再生装置であって、特定の情報を保存するためのローカルメモリを有する光情報記録媒体の記録再生装置における、ローカルメモリ内の情報の保存方法であって、光情報記録媒体を排出する排出信号を受信する第１の手段と、上記信号を受けて、保存先となる光情報記録媒体の種類を判別する第２の手段と、上記光情報記録媒体の記録再生可能層に記録されているデータを認識する手段と、上記ローカルメモリに記録されている特定の情報を認識する手段と、それら認識結果を比較する手段と、比較結果から差分のデータのみを記録再生可能層に記録するものである。
【０２５２】
また、本発明に係るローカルメモリの情報保存方法において、上記光情報記録媒体の個体識別番号を読み取る手段と、上記特定の情報から識別番号を読み取る手段と、読みだした識別番号同士が一致しているかどうかの判別を行う手段を有することが好ましい。
【０２５３】
また、本発明に係るローカルメモリの情報保存方法において、ローカルメモリ内の上記特定の情報を記録再生可能層に記録した後、上記光情報記録媒体の記録再生可能層に特定の情報を記録したことを示す記録管理情報を記録する第７の手段を有することが好ましい。
【０２５４】
また、本発明に係るローカルメモリの情報保存方法において、上記光情報記録媒体の記録再生可能層に特定の情報を記録したことを示す記録管理情報を参照し、記録しようとしている特定の情報の有無を判別する第８の手段を有することが好ましい。
【０２５５】
また、本発明に係るローカルメモリの情報保存方法において、上記光情報記録媒体を排出する前に、ローカルメモリ内の情報を消去する第９の手段を有することが好ましい。
【０２５６】
〔補足〕
最後に、記録再生装置１および１ａの各ブロック、特に制御部１４および１４ａの再生制御部２１、記録制御部２２、記録制御部２２ａ、挿入制御部２３、通信制御部２４、操作取得部２５、表示制御部２６、媒体種確認部２７、一致データ確認部２８、一致データ抽出部２９、データ比較部３０、データ比較部３０ａ、データ選択部３１、データ選択部３１ａ、容量確認部３２、データ管理部３３、データ管理部３３ａおよび電源制御部３４は、ハードウェアロジックによって構成してもよいし、次のようにＣＰＵを用いてソフトウェアによって実現してもよい。
【０２５７】
すなわち、記録再生装置１および１ａは、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである記録再生装置１および１ａの制御プログラムのプログラムコード（実行形式プログラム、中間コードプログラム、ソースプログラム）をコンピュータで読み取り可能に記録した記録媒体を、前記記録再生装置１および１ａに供給し、そのコンピュータ（又はＣＰＵやＭＰＵ）が記録媒体に記録されているプログラムコードを読み出し実行することによっても、達成可能である。
【０２５８】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５９】
また、記録再生装置１および１ａを通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２６１】
例えば、表示制御部２６は、図１０のＳ１０１の処理で問合せ画像を表示させているが、これに限らず、ユーザに選択させることが可能な処理については、その都度問合せ画像を表示させてもよい。この場合、図５のＳ１５、Ｓ１７、図７のＳ４１、図８のＳ６０、図９のＳ８１および図１０のＳ１０４における光ディスク１００への記録処理、図５のＳ１８における記憶部１５からの消去処理などの処理について、表示制御部２６は、記録または消去するか否かをユーザに問い合せる問合せ画像の表示制御を行うことが挙げられる。
【０２６２】
また、記録再生装置１、１ａでは、ファイル管理情報を用いていたが、これに限らず、インデックス情報を用いてもよい。このインデックス情報とは、光ディスク１００のＲＥ層に記録されているデータごとにインデックスを付与し、それらのインデックスを一元管理するための情報を指す。すなわち、光ディスク１００のＲＥ層からデータそのものを読み出す代わりとなる、当該データよりも容量が小さい情報であればよい。
【産業上の利用可能性】
【０２６３】
本発明は、情報記録媒体に予め記録されているコンテンツ等の登録情報に関連した情報を当該情報記録媒体に記録することによって、ユーザを煩わせることなく、容易に管理することができるので、特にハイブリッドディスク用の記録再生装置、記録装置（プレーヤー）、再生装置（レコーダー）などに好適である。
【符号の説明】
【０２６４】
１、１ａ  記録再生装置
２１    再生制御部（再生制御手段）
２２、２２ａ  記録制御部（記録制御手段）
２４    通信制御部（取得手段）
２５    操作取得部（取得手段）
２７    媒体種確認部（媒体判定手段）
２８    一致データ確認部（判定手段）
３０、３０ａ  データ比較部（比較手段）
３１、３１ａ  データ選択部（選択手段）
３３    データ管理部（保存制御手段、消去手段）
３３ａ  データ管理部（更新手段、保存制御手段）
３４    電源制御部（電源制御手段）
【図１】
2011138588.tif 000003
【図２】
2011138588.tif 000004
【図３】
2011138588.tif 000005
【図４】
2011138588.tif 000006
【図５】
2011138588.tif 000007
【図６】
2011138588.tif 000008
【図７】
2011138588.tif 000009
【図８】
2011138588.tif 000010
【図９】
2011138588.tif 000011
【図１０】
2011138588.tif 000012